(57)【特許請求の範囲】
【請求項１】
端末に応用される測定設定方法において、
第１通信システムの測定周波数点情報を含む第１測定設定と、第２通信システムの測定周波数点情報を含む第２測定設定をネットワーク側から受信することと、
前記ネットワーク側から測定ギャップ設定を受信することとを含む、測定設定方法。
【請求項２】
前記第１通信システムの周波数点測定に測定ギャップが必要であるかの情報、および、前記第２通信システムの周波数点測定に測定ギャップが必要であるかの情報を前記ネットワーク側にフィードバックすることをさらに含む、請求項１に記載の測定設定方法。
【請求項３】
前記第１測定設定は、第１通信システムの周波数点測定に測定ギャップが必要であるかの要求をさらに含み、
前記第２測定設定は、第２通信システムの周波数点測定に測定ギャップが必要であるかの要求をさらに含む、請求項２に記載の方法。
【請求項４】
第１測定設定と第２測定設定をネットワーク側から受信することは、
前記第１通信システムの第１基地局から送信される第１測定設定を受信し、前記第２通信システムの第２基地局から送信される第２測定設定を受信することを含み、
前記第１通信システムの周波数点測定に測定ギャップが必要であるかの情報、および、前記第２通信システムの周波数点測定に測定ギャップが必要であるかの情報を前記ネットワーク側にフィードバックすることは、
前記第１通信システムの周波数点測定に測定ギャップが必要であるかの情報を前記第１基地局にフィードバックし、前記第１通信システムの周波数点測定に測定ギャップが必要であるかの情報を第２基地局にフィードバックすることを含み、
前記ネットワーク側から測定ギャップ設定を受信することは、
前記第１基地局によって設定される第１通信システムの周波数点測定の測定ギャップを受信し、前記第２基地局によって設定される第２通信システムの周波数点測定の測定ギャップを受信することを含む、請求項２に記載の方法。
【請求項５】
第１測定設定と第２測定設定をネットワーク側から受信することは、
前記第１通信システムの第１基地局から送信される第１測定設定を受信し、前記第２通信システムの第２基地局から送信される第２測定設定を受信することを含み、
前記第１通信システムの周波数点測定に測定ギャップが必要であるかの情報、および、前記第２通信システムの周波数点測定に測定ギャップが必要であるかの情報を前記ネットワーク側にフィードバックすることは、
前記第１通信システムの周波数点測定に測定ギャップが必要であるかの情報、および、前記第２通信システムの周波数点測定に測定ギャップが必要であるかの情報を前記第１基地局にフィードバックすることを含み、
前記ネットワーク側から測定ギャップ設定を受信することは、
前記第１基地局によって設定される第１通信システムの周波数点測定の測定ギャップおよび第２通信システムの周波数点測定の測定ギャップを受信することを含む、請求項２に記載の方法。
【請求項６】
前記第１基地局が端末に対し前記第１通信システムの新規の搬送波を１つ設定すると、各搬送波の周波数点測定の測定ギャップ能力の第１更新情報を前記第１基地局にフィードバックすることと、
前記第１基地局が前記第１更新情報に基づいて前記端末に対し設定した第１通信システム側のすべての搬送波の周波数点測定の測定ギャップを受信することとをさらに含む、請求項４または５に記載の方法。
【請求項７】
前記第２通信システム側の搬送波の周波数点測定の測定ギャップ能力が変化すると、
前記第２通信システムの周波数点測定に測定ギャップが必要であるかの第２更新情報を前記第２基地局に送信することと、
前記第２基地局が前記第２更新情報に基づいて前記端末に対し設定した前記第２通信システムの周波数点測定の測定ギャップを受信することとをさらに含む、請求項６に記載の方法。
【請求項８】
前記第２通信システム側の搬送波の周波数点測定の測定ギャップ能力が変化すると、
前記第２通信システムの周波数点測定に測定ギャップが必要であるかの第３更新情報を前記第１基地局に送信することと、
前記第１基地局が前記第３更新情報に基づいて前記端末に対し設定した第２通信システムの周波数点測定の測定ギャップを受信することとをさらに含む、請求項６に記載の方法。
【請求項９】
第１測定設定と第２測定設定をネットワーク側から受信することは、
前記第１通信システムの第１基地局から送信される第１測定設定と第２測定設定を受信することを含み、
前記第１通信システムの周波数点測定に測定ギャップが必要であるかの情報、および、前記第２通信システムの周波数点測定に測定ギャップが必要であるかの情報を前記ネットワーク側にフィードバックすることは、
前記第１通信システムの周波数点測定に測定ギャップが必要であるかの情報、および、前記第２通信システムの周波数点測定に測定ギャップが必要であるかの情報を前記第１基地局にフィードバックすることを含み、
前記ネットワーク側から測定ギャップ設定を受信することは、
前記第１基地局によって設定される第１通信システムの周波数点測定の測定ギャップおよび第２通信システムの周波数点測定の測定ギャップを受信することを含む、請求項２に記載の方法。
【請求項１０】
第２通信システムの少なくとも一部の基地局に対し測定を行うための第３測定設定を、前記第１通信システムの第１基地局から受信することと、
前記第３測定設定に基づいて、前記第２通信システムの少なくとも一部の基地局を測定して測定結果を取得し、前記測定結果を前記第１基地局に報知することと、
第２通信システムのうち、前記第１基地局が前記測定結果に基づいて前記第２通信システムの少なくとも一部の基地局から選択した第２基地局の関連情報を前記第１基地局から受信することと、
前記第２通信システムの第２基地局と接続を確立して、前記端末と前記第１通信システムの第１基地局および前記第２通信システムの第２基地局との異システムデュアル接続を確立することとをさらに含む、請求項２に記載の方法。
【請求項１１】
前記第３測定設定は、
第２通信システムの測定周波数点情報と第２通信システムの周波数点測定の測定ギャップを含み、
前記の第２通信システムの少なくとも一部の基地局に対し測定を行うための第３測定設定を、第１通信システムの第１基地局から受信することは、
前記第１基地局から送信される第２通信システムの測定周波数点情報および対応する周波数点測定に測定ギャップが必要であるかの要求を受信することと、
前記第２通信システムの周波数点測定に測定ギャップが必要であるかのフィードバック結果を前記第１基地局に送信することと、
前記第１基地局がフィードバック結果に基づいて特定される第２通信システムの周波数点測定の測定ギャップを前記第１基地局から受信することとを含む、請求項１０に記載の方法。
【請求項１２】
第１通信システムの第１基地局に応用される測定設定方法において、
第１通信システムの測定周波数点情報を含む第１測定設定を、前記第１基地局に接続される端末に送信することと、
測定ギャップ設定を前記端末に送信することとを含む、測定設定方法。
【請求項１３】
第１通信システムの測定周波数点情報を含む第１測定設定を、第２通信システムのうち、前記端末に接続される第２基地局に送信することと、
第２通信システムの測定周波数点情報を含む第２測定設定を、前記第２通信システムの第２基地局から受信することとをさらに含む、請求項１２に記載の方法。
【請求項１４】
第１受信器を含む端末において、
前記第１受信器は、
第１通信システムの周波数点の情報を含む第１測定設定と、第２通信システムの周波数点の情報を含む第２測定設定をネットワーク側から受信し、
さらに、前記ネットワーク側から測定ギャップ設定を受信する、端末。
【請求項１５】
第２送信器を含む第１基地局において、
第２送信器は、
第１通信システムの測定周波数点情報を含む第１測定設定を、前記第１基地局に接続される端末に送信し、
さらに、前記第１通信システムの周波数点測定の測定ギャップを前記端末に送信する、第１基地局。
【発明の詳細な説明】
【技術分野】
【０００１】
本願は、２０１７年６月１６日に中国特許庁に提出された中国特許出願２０１７１０４５９４７３．１の優先権を主張し、その全ての内容が援用によりここに取り込まれる。
【０００２】
本開示は、通信技術分野に係り、特に測定設定方法、端末および基地局に係る。
【背景技術】
【０００３】
異システムデュアル接続の技術：
端末が同時に２種類の異なる無線アクセス技術に接続して通信し、例えば端末がＬＴＥ（Ｌｏｎｇ  Ｔｅｒｍ  Ｅｖｏｌｕｔｉｏｎ）と５Ｇ（第５世代移動通信）  ＮＲ（Ｎｅｗ  Ｒａｄｉｏ）に接続することは、異システムデュアル接続（Ｄｕａｌ  ｃｏｎｎｅｃｔｉｖｉｔｙ  （ＤＣ）ｂｅｔｗｅｅｎ  ＬＴＥ  ａｎｄ  ＮＲ）である。
【０００４】
端末による異システムデュアル接続と同時に、各アクセス技術においてさらにキャリアアグリゲーション（ｃａｒｒｉｅｒ ａｇｇｒｅｇａｔｉｏｎ）技術を使用してもよい。たとえば、端末によるＬＴＥと５Ｇ  ＮＲのＤＣと同時に、ＬＴＥモードでは３つの搬送波のアグリゲーションも行われ、ＮＲでは２つの搬送波のアグリゲーションも行われる。
【０００５】
測定ギャップ（ｍｅａｓｕｒｅｍｅｎｔ  ｇａｐ）：
端末は、周波数間測定を行う際に、自身のラジオ周波数チャネルを測定対象の位置する周波数点に調整して測定を行う必要があり、測定プロセスにおいて、サービングセルのデータ伝送を中断させる可能性がある。よって、周波数間測定用の測定ギャップ（ｍｅａｓｕｒｅｍｅｎｔ  ｇａｐ）をネットワークから端末に対し設定する必要がある。端末によってはラジオ周波数アーキテクチャや実現方式が異なるため、周波数間測定の際に測定ギャップが必要となる端末もあれば、必要でない端末もある。デュアル接続とキャリアアグリゲーションが導入されると、測定ギャップは、ｐｅｒ  ＵＥ（端末毎）に設定されるのではなく、ｐｅｒ  ＣＣ（サービング搬送波毎）に設定される可能性がある。
【０００６】
端末にサポートされる周波数帯域および周波数帯域の組み合わせがあまりにも多いため、異システムデュアル接続のシーンにおいて、端末から、サポート可能なすべての周波数帯域および周波数帯域の組み合わせでの測定に測定ギャップの設定が必要であるかを報知するのであれば、オーバヘッドが大きい。
【発明の概要】
【課題を解決するための手段】
【０００７】
本開示の実施例の第１方面において、端末に応用される測定設定方法を提供する。前記方法において、第１通信システムの測定周波数点情報を含む第１測定設定と、第２通信システムの測定周波数点情報を含む第２測定設定をネットワーク側から受信することと、前記ネットワーク側から測定ギャップ設定を受信することとを含む。
【０００８】
選択可能に、前記方法において、前記第１通信システムの周波数点測定に測定ギャップが必要であるかの情報、および、前記第２通信システムの周波数点測定に測定ギャップが必要であるかの情報を前記ネットワーク側にフィードバックすることをさらに含む。
【０００９】
選択可能に、前記第１測定設定は、第１通信システムの周波数点測定に測定ギャップが必要であるかの要求をさらに含み、前記第２測定設定は、第２通信システムの周波数点測定に測定ギャップが必要であるかの要求をさらに含む。
【００１０】
選択可能に、第１測定設定と第２測定設定をネットワーク側から受信することは、前記第１通信システムにおける第１基地局から送信される第１測定設定を受信し、前記第２通信システムにおける第２基地局から送信される第２測定設定を受信することを含む。前記第１通信システムの周波数点測定に測定ギャップが必要であるかの情報、および、前記第２通信システムの周波数点測定に測定ギャップが必要であるかの情報を前記ネットワーク側にフィードバックすることは、前記第１通信システムの周波数点測定に測定ギャップが必要であるかの情報を前記第１基地局にフィードバックし、前記第１通信システムの周波数点測定に測定ギャップが必要であるかの情報を第２基地局にフィードバックすることを含む。前記ネットワーク側から測定ギャップ設定を受信することは、前記第１基地局により設定される第１通信システムの周波数点測定の測定ギャップを受信し、前記第２基地局により設定される第２通信システムの周波数点測定の測定ギャップを受信することを含む。
【００１１】
選択可能に、第１測定設定と第２測定設定をネットワーク側から受信することは、前記第１通信システムにおける第１基地局から送信される第１測定設定を受信し、前記第２通信システムにおける第２基地局から送信される第２測定設定を受信することを含む。前記第１通信システムの周波数点測定に測定ギャップが必要であるかの情報、および、前記第２通信システムの周波数点測定に測定ギャップが必要であるかの情報を前記ネットワーク側にフィードバックすることは、前記第１通信システムの周波数点測定に測定ギャップが必要であるかの情報、および、前記第２通信システムの周波数点測定に測定ギャップが必要であるかの情報を前記第１基地局にフィードバックすることを含む。前記ネットワーク側で設定される前記第１通信システムの周波数点測定の測定ギャップおよび前記第２通信システムの周波数点測定の測定ギャップを受信することは、前記第１基地局により設定される第１通信システムの周波数点測定の測定ギャップおよび第２通信システムの周波数点測定の測定ギャップを受信することを含む。
【００１２】
選択可能に、前記方法において、前記第１基地局が端末に対し前記第１通信システムの新規の搬送波を１つ設定すると、各搬送波の周波数点測定の測定ギャップ能力の第１更新情報を前記第１基地局にフィードバックすることと、前記第１基地局が前記第１更新情報に基づいて前記端末に対し設定した第１通信システム側のすべての搬送波の周波数点測定の測定ギャップを受信することとをさらに含む。
【００１３】
選択可能に、前記第２通信システム側の搬送波の周波数点測定の測定ギャップ能力が変化すると、前記測定設定方法において、前記第２通信システムの周波数点測定に測定ギャップが必要であるかの第２更新情報を前記第２基地局に送信することと、前記第２基地局が前記第２更新情報に基づいて前記端末に対し設定した前記第２通信システムの周波数点測定の測定ギャップを受信することとをさらに含む。
【００１４】
選択可能に、前記第２通信システム側の搬送波の周波数点測定の測定ギャップ能力が変化すると、前記方法において、前記第２通信システムの周波数点測定に測定ギャップが必要であるかの第３更新情報を前記第１基地局に送信することと、前記第１基地局が前記第３更新情報に基づいて前記端末に対し設定した第２通信システムの周波数点測定の測定ギャップを受信することとをさらに含む。
【００１５】
選択可能に、前記の第１測定設定と第２測定設定をネットワーク側から受信することは、前記第１通信システムにおける第１基地局から送信される第１測定設定と第２測定設定を受信することを含む。前記第１通信システムの周波数点測定に測定ギャップが必要であるかの情報、および、前記第２通信システムの周波数点測定に測定ギャップが必要であるかの情報を前記ネットワーク側にフィードバックすることは、前記第１通信システムの周波数点測定に測定ギャップが必要であるかの情報、および、前記第２通信システムの周波数点測定に測定ギャップが必要であるかの情報を前記第１基地局にフィードバックすることを含む。前記ネットワーク側で設定される前記第１通信システムの周波数点測定の測定ギャップと前記ネットワーク側で設定される前記第２通信システムの周波数点測定の測定ギャップを受信することは、前記第１基地局により設定される第１通信システムの周波数点測定の測定ギャップおよび第２通信システムの周波数点測定の測定ギャップを受信することを含む。
【００１６】
選択可能に、前記方法において、前記第２通信システム内の少なくとも一部の基地局に対し測定を行うための第３測定設定を、前記第１通信システムにおける第１基地局から受信することと、前記第３測定設定に基づいて、前記第２通信システム内の少なくとも一部の基地局を測定して測定結果を取得し、前記測定結果を前記第１基地局に報知することと、第２通信システムのうち、前記第１基地局が前記測定結果に基づいて前記第２通信システム内の少なくとも一部の基地局から選択した第２基地局の関連情報を前記第１基地局から受信することと、前記第２通信システムにおける第２基地局と接続を確立して、前記端末と前記第１通信システムにおける第１基地局および前記第２通信システムにおける第２基地局との異システムデュアル接続を確立することとをさらに含む。
【００１７】
選択可能に、前記第３測定設定は、第２通信システムの測定周波数点情報と第２通信システムの周波数点測定の測定ギャップを含む。第２通信システム内の少なくとも一部の基地局に対し測定を行うための第３測定設定を、第１通信システムにおける第１基地局から受信することは、前記第１基地局から送信される第２通信システムの測定周波数点情報および対応する周波数点測定に測定ギャップが必要であるかの要求を受信することと、前記第２通信システムの周波数点測定に測定ギャップが必要であるかのフィードバック結果を前記第１基地局に送信することと、前記第１基地局がフィードバック結果に基づいて特定される第２通信システムの周波数点測定の測定ギャップを前記第１基地局から受信することとを含む。
【００１８】
本開示の実施例の第２方面において、第１通信システムの第１基地局に応用される測定設定方法をさらに提供する。前記方法において、第１通信システムの測定周波数点情報を含む第１測定設定を、前記第１基地局に接続される端末に送信することと、測定ギャップ設定を前記端末に送信することとを含む。
【００１９】
選択可能に、前記方法において、前記端末からフィードバックされる前記第１通信システムの周波数点測定に測定ギャップが必要であるかの情報を受信することをさらに含む。
【００２０】
選択可能に、前記第１測定設定は、第１通信システムの周波数点測定に測定ギャップが必要であるかの要求をさらに含む。
【００２１】
選択可能に、前記方法において、第１通信システムの測定周波数点情報を含む第１測定設定を、第２通信システムのうち、前記端末に接続される第２基地局に送信することと、第２通信システムの測定周波数点情報を含む第２測定設定を、前記第２通信システムにおける第２基地局から受信することとをさらに含む。
【００２２】
選択可能に、前記方法において、前記第１通信システムで前記端末にサポートされる周波数帯域情報および／または周波数帯域組み合わせ情報を、第２通信システムのうち、前記端末に接続される第２基地局に送信することと、前記第２通信システムで前記端末にサポートされる周波数帯域情報および／または周波数帯域組み合わせ情報を、前記第２通信システムにおける第２基地局から受信することとをさらに含む。
【００２３】
本開示の実施例の第３方面において、第１通信システムの第１基地局に応用される測定設定方法をさらに提供する。前記方法において、第１通信システムの測定周波数点情報を含む第１測定設定を、前記第１基地局に接続される端末に送信することと、第２通信システムの測定周波数点情報を含む第２測定設定を、第２通信システムにおける第２基地局から受信することと、測定ギャップ設定を前記端末に送信することとを含む。
【００２４】
本開示の実施例の第４方面において、第１受信器を含む端末をさらに提供する。前記第１受信器は、第１通信システムの周波数点の情報を含む第１測定設定と、第２通信システムの周波数点の情報を含む第２測定設定をネットワーク側から受信し、さらに、前記ネットワーク側から測定ギャップ設定を受信する。
【００２５】
選択可能に、前記端末は、前記第１通信システムの周波数点測定に測定ギャップが必要であるかの情報、および、前記第２通信システムの周波数点測定に測定ギャップが必要であるかの情報を前記ネットワーク側にフィードバックする第１送信器をさらに含む。
【００２６】
選択可能に、前記第１測定設定は、第１通信システムの周波数点測定に測定ギャップが必要であるかの要求をさらに含み、前記第２測定設定は、第２通信システムの周波数点測定に測定ギャップが必要であるかの要求をさらに含む。
【００２７】
選択可能に、前記第１受信器は、さらに、前記第１通信システムにおける第１基地局から送信される第１測定設定を受信し、前記第２通信システムにおける第２基地局から送信される第２測定設定を受信する。
前記第１送信器は、さらに、前記第１通信システムの周波数点測定に測定ギャップが必要であるかの情報を前記第１基地局にフィードバックし、前記第１通信システムの周波数点測定に測定ギャップが必要であるかの情報を第２基地局にフィードバックする。
前記第１受信器は、さらに、前記第１基地局により設定される第１通信システムの周波数点測定の測定ギャップを受信し、前記第２基地局により設定される第２通信システムの周波数点測定の測定ギャップを受信する。
【００２８】
選択可能に、前記第１受信器は、さらに、前記第１通信システムにおける第１基地局から送信される第１測定設定を受信し、前記第２通信システムにおける第２基地局から送信される第２測定設定を受信する。
前記第１送信器は、さらに、前記第１通信システムの周波数点測定に測定ギャップが必要であるかの情報、および、前記第２通信システムの周波数点測定に測定ギャップが必要であるかの情報を前記第１基地局にフィードバックする。
前記第１受信器は、さらに、前記第１基地局により設定される第１通信システムの周波数点測定の測定ギャップおよび第２通信システムの周波数点測定の測定ギャップを受信する。
【００２９】
選択可能に、前記第１送信器は、さらに、前記第１基地局が端末に対し前記第１通信システムの新規の搬送波を１つ設定すると、各搬送波の周波数点測定の測定ギャップ能力の第１更新情報を前記第１基地局にフィードバックする。
前記第１受信器は、さらに、前記第１基地局が前記第１更新情報に基づいて端末に対し設定した第１通信システム側のすべての搬送波の周波数点測定の測定ギャップを受信する。
【００３０】
選択可能に、前記第１送信器は、さらに、第２通信システム側で測定ギャップが必要であるかの第２更新情報を前記第２基地局に送信する。前記第１受信器は、さらに、前記第２基地局が前記第２更新情報に基づいて端末に対し設定した第２通信システムの周波数点測定の測定ギャップを受信する。
【００３１】
選択可能に、前記第１送信器は、さらに、第２通信システム側で測定ギャップが必要であるかの第３更新情報を前記第１基地局に送信する。前記第１受信器は、さらに、前記第１基地局が前記第３更新情報に基づいて端末に対し設定した第２通信システムの周波数点測定の測定ギャップを受信する。
【００３２】
選択可能に、前記第１受信器は、さらに、前記第１通信システムにおける第１基地局から送信される第１測定設定と第２測定設定を受信する。
前記第１送信器は、さらに、前記第１通信システムの周波数点測定に測定ギャップが必要であるかの情報、および、前記第２通信システムの周波数点測定に測定ギャップが必要であるかの情報を前記第１基地局にフィードバックする。前記第１受信器は、さらに、前記第１基地局により設定される第１通信システムの周波数点測定の測定ギャップおよび第２通信システムの周波数点測定の測定ギャップを受信する。
【００３３】
選択可能に、前記第１受信器は、さらに、第２通信システム内の少なくとも一部の基地局に対し測定を行うための第３測定設定を、前記第１通信システムにおける第１基地局から受信する。前記第１送信器は、さらに、前記第３測定設定に基づいて、前記第２通信システム内の少なくとも一部の基地局を測定して測定結果を取得し、前記測定結果を前記第１基地局に報知する。前記第１受信器は、さらに、第２通信システムのうち、前記第１基地局が前記測定結果に基づいて前記第２通信システム内の少なくとも一部の基地局から選択した第２基地局の関連情報を前記第１基地局から受信し、前記第２通信システムにおける第２基地局と接続を確立して、前記端末と前記第１通信システムにおける第１基地局および前記第２通信システムにおける第２基地局との異システムデュアル接続を確立する。
【００３４】
選択可能に、前記第１受信器は、さらに、前記第１基地局から送信される第２通信システムの測定周波数点情報および対応する周波数点測定に測定ギャップが必要であるかの要求を受信する。前記第１送信器は、さらに、前記第２通信システムの周波数点測定に測定ギャップが必要であるかのフィードバック結果を前記第１基地局に送信する。前記第１受信器は、さらに、前記第１基地局からフィードバック結果に基づいて特定される第２通信システムの周波数点測定の測定ギャップを前記第１基地局から受信する。
【００３５】
本開示の実施例の第５方面において、第２送信器を含む第１基地局をさらに提供する。第２送信器は、第１通信システムの測定周波数点情報を含む第１測定設定を、前記第１基地局に接続される端末に送信し、さらに、前記第１通信システムの周波数点測定の測定ギャップを前記端末に送信する。
【００３６】
選択可能に、前記第１基地局は、前記端末からフィードバックされる前記第１通信システムの周波数点測定に測定ギャップが必要であるかの情報を受信する第２受信器をさらに含む。
【００３７】
選択可能に、前記第１測定設定は、第１通信システムの周波数点測定に測定ギャップが必要であるかの要求をさらに含む。
【００３８】
選択可能に、前記第２送信器は、さらに、第１測定設定を、第２通信システムのうち、前記端末に接続される第２基地局に送信する。前記第２受信器は、さらに、第２通信システムの測定周波数点情報を含む第２測定設定を、前記第２通信システムの第２基地局から受信する。
【００３９】
選択可能に、前記第２送信器は、さらに、前記第１通信システムで前記端末にサポートされる周波数帯域情報および／または周波数帯域組み合わせ情報を、第２通信システムのうち、前記端末に接続される第２基地局に送信する。前記第２受信器は、さらに、前記第２通信システムで前記端末にサポートされる周波数帯域情報および／または周波数帯域組み合わせ情報を、前記第２通信システムにおける第２基地局から受信する。
【００４０】
本開示の実施例の第６方面において、第３送信器と第３受信器を含む第１基地局をさらに提供する。第３送信器は、第１通信システムの測定周波数点情報を含む第１測定設定を、前記第１基地局に接続される端末に送信する。第３受信器は、第２通信システムの測定周波数点情報を含む第２測定設定を、第２通信システムの第２基地局から受信する。前記第３送信器は、さらに、測定ギャップ設定を前記端末に送信する。
【００４１】
本開示の実施例の第７方面において、メモリと、プロセッサと、メモリに記憶されてプロセッサで実行可能なコンピュータプログラムを含む端末をさらに提供する。前記プロセッサは、前記プログラムを実行すると、以上記載した測定設定方法のステップを実現する。
【００４２】
本開示の実施例の第８方面において、メモリと、プロセッサと、メモリに保存されてプロセッサで実行可能なコンピュータプログラムを含む基地局をさらに提供する。前記プロセッサは、前記プログラムを実行すると、以上記載した測定設定方法のステップを実現する。
【００４３】
本開示の実施例の第９方面において、データ伝送プログラムが記憶されているコンピュータ読み取り可能な記憶媒体をさらに提供する。前記データ伝送プログラムがプロセッサによって実行されると、以上記載した測定設定方法のステップを実現する。
【図面の簡単な説明】
【００４４】
【図１】本開示の異システムデュアル接続の端末の測定設定方法のシステムアーキテクチャである。
【図２】本開示の一実施例における測定設定方法のフローチャートである。
【図３】本開示の別の実施例における測定設定方法のフローチャートである。
【図４】本開示のまた別の実施例における測定設定方法のフローチャートである。
【図５】本開示のまた別の実施例における測定設定方法のフローチャートである。
【図６】本開示のまた別の実施例における測定設定方法のフローチャートである。
【図７】本開示のまた別の実施例における測定設定方法のフローチャートである。
【図８】本開示のまた別の実施例における測定設定方法のフローチャートである。
【図９】本開示のまた別の実施例における測定設定方法のフローチャートである。
【図１０】本開示のまた別の実施例における測定設定方法のフローチャートである。
【図１１】本開示の一実施例におけるＬＴＥシステムと５Ｇ  ＮＲの異システムデュアル接続の端末の測定設定方法のフローである。
【図１２】本開示の別の実施例におけるＬＴＥシステムと５Ｇ  ＮＲの異システムデュアル接続の端末の測定設定方法のフローである。
【図１３】本開示の別の実施例におけるＬＴＥシステムと５Ｇ  ＮＲの異システムデュアル接続の端末の測定設定方法のフローである。
【図１４】本開示の一実施例におけるＬＴＥシステムと５Ｇ  ＮＲの異システムデュアル接続のキャリアアグリゲーションシーンで端末の測定設定方法のフローである。
【図１５】本開示の別の実施例におけるＬＴＥシステムと５Ｇ  ＮＲの異システムデュアル接続のキャリアアグリゲーションシーンで端末の測定設定方法のフローである。
【図１６】本開示の別の実施例における基地局側の測定設定方法のフローチャートである。
【図１７】本開示の一実施例における端末の構造図である。
【図１８】本開示の一実施例における基地局の構造図である。
【図１９】本開示の別の実施例における端末の構造図である。
【図２０】本開示の別の実施例における基地局の構造図である。
【図２１】本開示の別の実施例における基地局側の測定設定方法のフローチャートである。
【図２２】本開示の別の実施例における基地局の構造図である。
【発明を実施するための形態】
【００４５】
以下、添付図面を参照して本開示の例示的な実施例をさらに詳細に記載する。本開示の例示的な実施例を図面に示しているが、本開示は、ここで説明した実施例に限定されることなく様々な形態で実現されうることが理解されるべきである。これらの実施例を示すことは、本開示をより徹底的に理解してもらい、本開示の範囲を当業者に全面的に伝えるためである。
【００４６】
図１は、本開示における異システムデュアル接続の端末の測定設定方法のシステムアーキテクチャである。図１に示すように、本実施例におけるシステムアーキテクチャは、端末１０１と、第１通信システムの第１基地局１０２と、第２通信システムの第２基地局１０３を含む。ここで、第１通信システムと第２通信システムとは、異なる無線アクセス技術が用いられる。たとえば、第１通信システムではＬＴＥ技術が用いられるが、第２通信システムでは５Ｇ  ＮＲ技術が用いられる。端末１０１は、第１基地局１０２（例えばＬＴＥにおけるｅＮＢ）と第２基地局１０３（たとえば５Ｇ  ＮＲにおけるｇＮＢ）とは異システムデュアル接続を確立する。
【００４７】
たとえば、第１基地局１０２または第２基地局１０３は、ＧＳＭ（Ｇｌｏｂａｌ  Ｓｙｓｔｅｍ  ｏｆ  Ｍｏｂｉｌｅ  ｃｏｍｍｕｎｉｃａｔｉｏｎ）またはＣＤＭＡ（Ｃｏｄｅ  Ｄｉｖｉｓｉｏｎ  Ｍｕｌｔｉｐｌｅ  Ａｃｃｅｓｓ）におけるＢＴＳ（Ｂａｓｅ  Ｔｒａｎｓｃｅｉｖｅｒ  Ｓｔａｔｉｏｎ）であってもよく、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）におけるＮＢ（ＮｏｄｅＢ）であってもよく、さらにＬＴＥにおけるｅＮＢまたはｅＮｏｄｅＢ（Ｅｖｏｌｕｔｉｏｎａｌ  Ｎｏｄｅ  Ｂ）であってもよく、さらにＮｅｗ  ＲＡＴまたはＮＲ（Ｎｅｗ  ｒａｄｉｏ  ａｃｃｅｓｓ  ｔｅｃｈｎｉｃａｌ）における基地局であってもよく、または中継ポイントまたはアクセスポイントであり、または将来の５Ｇネットワークにおける基地局などであるが、ここでは限定しない。
【００４８】
端末１０１は、無線端末であってもよく有線端末であってもよい。当該無線端末は、ユーザに音声および／またはほかのサービスデータの接続性を提供する機器や、無線接続機能を有するハンドヘルドデバイスや、無線モデルに接続されるほかの処理機器である。無線端末は、ＲＡＮ（Ｒａｄｉｏ  Ａｃｃｅｓｓ  Ｎｅｔｗｏｒｋ）を介して１つまたは複数のコアネットワークと通信する。無線端末は、移動電話（または「セルラー」電話と称する）などの移動端末や移動端末を有するコンピュータであり、例えば携帯式、ポータブル式、ハンドヘルド式、コンピュータ内蔵または車載の移動装置であり、無線アクセスネットワークとは言語および／またはデータのやり取りを行う。たとえば、ＰＣＳ（Ｐｅｒｓｏｎａｌ  Ｃｏｍｍｕｎｉｃａｔｉｏｎ  Ｓｅｒｖｉｃｅ）電話、コードレス電話、ＳＩＰ（Ｓｅｓｓｉｏｎ  Ｉｎｉｔｉａｔｉｏｎ  Ｐｒｏｔｏｃｏｌ）電話機、ＷＬＬ（Ｗｉｒｅｌｅｓｓ  Ｌｏｃａｌ  Ｌｏｏｐ）局、ＰＤＡ（Ｐｅｒｓｏｎａｌ  Ｄｉｇｉｔａｌ  Ａｓｓｉｓｔａｎｔ）などの機器である。無線端末は、システム、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、移動局（Ｍｏｂｉｌｅ  Ｓｔａｔｉｏｎ）、モバイル（Ｍｏｂｉｌｅ）、遠隔局（Ｒｅｍｏｔｅ  Ｓｔａｔｉｏｎ）、遠隔端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザ機器（Ｕｓｅｒ  Ｄｅｖｉｃｅ  ｏｒ  Ｕｓｅｒ  Ｅｑｕｉｐｍｅｎｔ）と称してもよいが、ここでは限定しない。
【００４９】
図２は、本開示の一実施例における測定設定方法のフローチャートである。当該測定設定方法の実行エンティティは、端末であり、具体的なステップは、以下である。ステップ２０１において、第１通信システムの測定周波数点情報を含む第１測定設定と、第２通信システムの測定周波数点情報を含む第２測定設定をネットワーク側から受信する。ステップ２０２において、前記ネットワーク側から測定ギャップ設定を受信する。
【００５０】
選択可能に、前記測定ギャップ設定は、第１通信システムの周波数点測定の測定ギャップと、第２通信システムの周波数点測定の測定ギャップを含む。
【００５１】
本実施例の１つの実施形態において、端末は、ネットワーク側から配信される測定設定を受信し、ネットワーク側が端末に対し測定ギャップが必要であるかを問い合わせる。端末は、測定ギャップが必要であるかを判断してネットワーク側にフィードバックする。それから、端末は、ネットワーク側から配信される測定ギャップを受信する。当該測定ギャップは、端末からフィードバックされる測定ギャップが必要であるかに基づいて、ネットワーク側によって設定される。最後に、端末は、受信した測定設定および測定ギャップに基づいて測定を実行する。
【００５２】
本実施例の別の実施形態において、端末は、ネットワーク側によって設定される測定設定および測定ギャップを受信する。当該測定ギャップは、各通信システムで端末にサポートされる周波数帯域および周波数帯域組み合わせに基づいて、ネットワーク側によって設定される。最後に、端末は、受信した測定設定および測定ギャップに基づいて測定を実行する。
【００５３】
本実施例において、端末は、測定ギャップおよび受信したネットワーク側によって設定される測定設定に基づいて測定を実行する。ここで測定ギャップは、端末によって特定されるものであってもよく、または、ネットワーク側によって設定されるものであってもよい。端末による測定能力の報知のシグナリングオーバヘッドを効果的に低減し、端末から、サポート可能なすべての周波数帯域および周波数帯域組み合わせの測定能力を報知するシグナリングオーバヘッドが大きいという問題を回避する。
【００５４】
図３は、本開示の別の実施例における測定設定方法のフローチャートである。当該測定設定方法の実行エンティティは、端末（ＵＥとも称される）であり、図３に示すように、具体的なステップは、以下である。
【００５５】
ステップ３０１において、ネットワーク側からの第１測定設定と第２測定設定を受信する。
【００５６】
ここで、第１測定設定は、第１通信システムの周波数点の情報を含み、第２測定設定は、第２通信システムの周波数点の情報を含む。選択可能に、当該第１測定設定は、第１通信システムの周波数点測定に測定ギャップが必要であるかの要求をさらに含み、当該第２測定設定は、第２通信システムの周波数点測定に測定ギャップが必要であるかの要求をさらに含む。
【００５７】
上記第１通信システムと第２通信システムとは、異なる無線アクセス技術が用いられる。たとえば、第１通信システムではＬＴＥ技術が用いられるが、第２通信システムでは５Ｇ  ＮＲ技術が用いられる。または、第１通信システムでは５Ｇ  ＮＲ技術が用いられるが、第２通信システムではＬＴＥ技術が用いられる。もちろん、これらに限られない。
【００５８】
ステップ３０２において、第１通信システムの周波数点測定に測定ギャップが必要であるかの情報、および、第２通信システムの周波数点測定に測定ギャップが必要であるかの情報をネットワーク側にフィードバックする。
【００５９】
本ステップにおいて、ＵＥは、第１通信システムの周波数点測定に測定ギャップが必要であるかの要求、および、第２通信システムの周波数点測定に測定ギャップが必要であるかの要求に基づいて、第１通信システムと第２通信システムの測定ギャップを協調的に設定することによって、第１通信システムの周波数点測定に測定ギャップが必要であるかの情報、および、第２通信システムの周波数点測定に測定ギャップが必要であるかの情報を取得し、第１通信システムの測定ギャップが第２通信システムに影響を与え、または第２通信システムの測定ギャップが第１通信システムに影響を与えることを回避する。
【００６０】
たとえば、ＵＥは、ＬＴＥシステムの周波数点測定に測定ギャップが必要であるかをフィードバックし、５Ｇ  ＮＲの周波数点測定に測定ギャップが必要であるかをフィードバックする。
【００６１】
ステップ３０３において、設定された第１通信システムの周波数点測定の測定ギャップ、および設定された第２通信システムの周波数点測定の測定ギャップを受信する。
【００６２】
上記第１通信システムの周波数点測定の測定ギャップは、第１通信システムの周波数点を測定する測定ギャップと、第２通信システムの周波数点を測定する測定ギャップを含む。たとえば、上記２つの測定ギャップは、同一であってもよい。測定ギャップが必要でない場合、測定ギャップの長さは、０に設定される。
【００６３】
上記第２通信システムの周波数点測定の測定ギャップは、第２通信システムの周波数点を測定する測定ギャップと、第１通信システムの周波数点を測定する測定ギャップを含む。たとえば、上記２つの測定ギャップは、同一であってもよい。測定ギャップが必要でない場合、測定ギャップの長さは、０に設定される。
【００６４】
本ステップにおける第１通信システムの周波数点測定の測定ギャップは、ＵＥからフィードバックされる第１通信システムの周波数点測定に測定ギャップが必要であるかの情報に基づいて、ネットワーク側機器によって設定される。
【００６５】
本ステップにおける第２通信システムの周波数点測定の測定ギャップは、ＵＥからフィードバックされる第２通信システムの周波数点測定に測定ギャップが必要であるかの情報に基づいて、ネットワーク側機器によって設定される。
【００６６】
本実施例において、ＵＥは、第１通信システムと第２通信システムの周波数点測定に測定ギャップが必要であるかの要求に基づいて、第１通信システムと第２通信システムの測定ギャップを協調的に設定し、それから、第１通信システムの周波数点測定に測定ギャップが必要であるかの情報および第２通信システムに測定ギャップが必要であるかの情報をフィードバックし、最後に、ＵＥからフィードバックされる第１通信システムと第２通信システムの周波数点測定に測定ギャップが必要であるかの情報に基づいて設定される第１通信システムの周波数点測定の測定ギャップおよび第２通信システムの周波数点測定の測定ギャップを受信する。よって、第１通信システムの測定ギャップが第２通信システムに影響を与え、または第２通信システムの測定ギャップが第１通信システムに影響を与えることを避けるとともに、ＵＥから、サポート可能なすべての周波数帯域および周波数帯域組み合わせでの周波数点測定に測定ギャップの設定が必要であるかの報知による、シグナリングオーバヘッドが大きいという問題を避ける。
【００６７】
図４は、本開示の別の実施例における異システムデュアル接続の端末の測定設定方法のフローチャートである。図４に示すように、当該方法において、以下のステップを含む。
【００６８】
ステップ４０１において、第１通信システムの第１基地局から送信される第１測定設定を受信し、第２通信システムの第２基地局から送信される第２測定設定を受信する。
【００６９】
ここで、第１測定設定は、第１通信システムの周波数点の情報および第１通信システムの周波数点測定に測定ギャップが必要であるかの要求を含み、第２測定設定は、第２通信システムの周波数点の情報および第２通信システムの周波数点測定に測定ギャップが必要であるかの要求を含む。
【００７０】
上記第１通信システムと第２通信システムとは、異なる無線アクセス技術が用いられる。たとえば、第１通信システムはＬＴＥシステムであり、第２通信システムは５Ｇ  ＮＲであるが、もちろん、これに限られない。
【００７１】
ステップ４０２において、第１通信システムの周波数点測定に測定ギャップが必要であるかの情報を第１基地局にフィードバックし、第１通信システムの周波数点測定に測定ギャップが必要であるかの情報を第２基地局にフィードバックする。
【００７２】
上記第１通信システムの周波数点測定に測定ギャップが必要であるかの情報は、第１通信システムの周波数点の測定に測定ギャップが必要であるか、および、第２通信システムの周波数点の測定に測定ギャップが必要であるかを含む。
【００７３】
上記第２通信システムの周波数点測定に測定ギャップが必要であるかの情報は、第２通信システムの周波数点の測定に測定ギャップが必要であるか、および、第１通信システムの周波数点の測定に測定ギャップが必要であるかを含む。本ステップにおいて、ＵＥは、第１通信システムの周波数点測定に測定ギャップが必要であるかの要求、および、第２通信システムの周波数点測定に測定ギャップが必要であるかの要求に基づいて、第１通信システムと第２通信システムの測定ギャップを協調的に設定することによって、第１通信システムの周波数点測定に測定ギャップが必要であるかの情報、および、第２通信システムの周波数点測定に測定ギャップが必要であるかの情報を取得し、第１通信システムの測定ギャップが第２通信システムに影響を与え、または第２通信システムの測定ギャップが第１通信システムに影響を与えることを回避する。
【００７４】
たとえば、ＵＥは、ＬＴＥシステムの周波数点測定に測定ギャップが必要であるかをｅＮＢにフィードバックし、５Ｇ  ＮＲの周波数点測定に測定ギャップが必要であるかをｇＮＢフィードバックする。
【００７５】
ステップ４０３において、第１基地局によって設定される第１通信システムの周波数点測定の測定ギャップを受信し、第２基地局によって設定される第２通信システムの周波数点測定の測定ギャップを受信する。
【００７６】
本ステップにおける第１通信システムの周波数点測定の測定ギャップは、ＵＥからフィードバックされる第１通信システムの周波数点測定に測定ギャップが必要であるかの情報に基づいて、第１基地局によって設定される。第１基地局がＵＥに設定する第１通信システムの周波数点測定の測定ギャップは、第１通信システムの周波数点測定の測定ギャップと、第２通信システムの周波数点測定の測定ギャップを含む。たとえば、上記２つの測定ギャップは、同一であってもよい。測定ギャップが必要でない場合、測定ギャップの長さは、０に設定される。
【００７７】
本ステップにおける第２通信システムの周波数点測定の測定ギャップは、ＵＥからフィードバックされる第２通信システムの周波数点測定に測定ギャップが必要であるかの情報に基づいて、第２基地局によって設定される。第２基地局がＵＥに設定する第２通信システムの周波数点測定の測定ギャップは、第２通信システムの周波数点測定の測定ギャップと、第１通信システムの周波数点測定の測定ギャップを含む。たとえば、上記２つの測定ギャップは、同一であってもよい。測定ギャップが必要でない場合、測定ギャップの長さは、０に設定される。
【００７８】
本実施例において、ＵＥは、第１通信システムと第２通信システムの周波数点測定に測定ギャップが必要であるかの要求に基づいて、第１通信システムと第２通信システムの測定ギャップを協調的に設定し、それから、第１通信システムの周波数点測定に測定ギャップが必要であるかの情報および第２通信システムの周波数点測定に測定ギャップが必要であるかの情報をフィードバックし、最後に、ＵＥからフィードバックされる第１通信システムと第２通信システムの周波数点測定に測定ギャップが必要であるかの情報に基づいて設定される第１通信システムの周波数点測定の測定ギャップおよび第２通信システムの周波数点測定の測定ギャップを受信する。よって、第１通信システムの測定ギャップが第２通信システムに影響を与え、または第２通信システムの測定ギャップが第１通信システムに影響を与えることを避けるとともに、ＵＥから、サポート可能なすべての周波数帯域および周波数帯域組み合わせでの周波数点測定に測定ギャップの設定が必要であるかの報知による、シグナリングオーバヘッドが大きいという問題を避ける。
【００７９】
図５は、本開示のまた別の実施例における異システムデュアル接続の端末の測定設定方法のフローチャートである。図５に示すように、当該方法において、以下のステップを含む。
【００８０】
ステップ５０１において、第１通信システムの第１基地局から送信される第１測定設定を受信し、第２通信システムの第２基地局から送信される第２測定設定を受信する。
【００８１】
ここで、第１測定設定は、第１通信システムの周波数点の情報および第１通信システムの周波数点測定に測定ギャップが必要であるかの要求を含み、第２測定設定は、第２通信システムの周波数点の情報および第２通信システムの周波数点測定に測定ギャップが必要であるかの要求を含む。
【００８２】
上記第１通信システムと第２通信システムとは、異なる無線アクセス技術が用いられる。たとえば、第１通信システムはＬＴＥシステムであり、第２通信システムは５Ｇ  ＮＲであるが、もちろん、これに限られない。
【００８３】
ステップ５０２において、第１通信システムの周波数点測定に測定ギャップが必要であるかの情報および第２通信システムの周波数点測定に測定ギャップが必要であるかの情報を第１基地局にフィードバックする。
【００８４】
上記第１通信システムの周波数点測定に測定ギャップが必要であるかの情報は、第１通信システムの周波数点の測定に測定ギャップが必要であるか、および第２通信システムの周波数点の測定に測定ギャップが必要であるかを含む。
【００８５】
上記第２通信システムの周波数点測定に測定ギャップが必要であるかの情報は、第２通信システムの周波数点の測定に測定ギャップが必要であるか、および第１通信システムの周波数点の測定に測定ギャップが必要であるかを含む。
【００８６】
本ステップにおいて、ＵＥは、第１通信システムの周波数点測定に測定ギャップが必要であるかの要求、および、第２通信システムの周波数点測定に測定ギャップが必要であるかの要求に基づいて、第１通信システムと第２通信システムの測定ギャップを協調的に設定することによって、第１通信システムの周波数点測定に測定ギャップが必要であるかの情報、および、第２通信システムの周波数点測定に測定ギャップが必要であるかの情報を取得し、第１通信システムの測定ギャップが第２通信システムに影響を与え、または第２通信システムの測定ギャップが第１通信システムに影響を与えることを回避する。
【００８７】
ステップ５０３において、第１基地局によって設定される第１通信システムの周波数点測定の測定ギャップと第２通信システムの周波数点測定の測定ギャップを受信する。
【００８８】
選択可能に、第１基地局がＵＥに設定した第１通信システムの周波数点測定の測定ギャップは、第１通信システムの周波数点測定の測定ギャップおよび第２通信システムの周波数点測定の測定ギャップを含む。上記２つの測定ギャップは、同一であってもよい。測定ギャップが必要でない場合、測定ギャップの長さは、０に設定される。
【００８９】
選択可能に、第１基地局がＵＥに設定した第２通信システムの周波数点測定の測定ギャップは、第２通信システムの周波数点測定の測定ギャップおよび第１通信システムの周波数点測定の測定ギャップを含む。上記２つの測定ギャップは、同一であってもよい。測定ギャップが必要でない場合、測定ギャップの長さは、０に設定される。
【００９０】
上記第１基地局は、設定した第２通信システムの周波数点測定の測定ギャップを第２基地局に送信する。
【００９１】
本実施例において、ＵＥは、第１通信システムと第２通信システムの周波数点測定に測定ギャップが必要であるかの要求に基づいて、第１通信システムと第２通信システムの測定ギャップを協調的に設定し、それから、第１通信システムの周波数点測定に測定ギャップが必要であるかの情報および第２通信システムの周波数点測定に測定ギャップが必要であるかの情報をフィードバックし、最後に、ＵＥからフィードバックされる第１通信システムと第２通信システムの周波数点測定に測定ギャップが必要であるかの情報に基づいて設定される第１通信システムの周波数点測定の測定ギャップおよび第２通信システムの周波数点測定の測定ギャップを受信する。よって、第１通信システムの測定ギャップが第２通信システムに影響を与え、または第２通信システムの測定ギャップが第１通信システムに影響を与えることを避けるとともに、ＵＥから、サポート可能なすべての周波数帯域および周波数帯域組み合わせでの周波数点測定に測定ギャップの設定が必要であるかの報知による、シグナリングオーバヘッドが大きいという問題を避ける。
【００９２】
異システムデュアル接続でキャリアアグリゲーションが行われる場合、異システムにおける各通信システムにおいて、それぞれキャリアアグリゲーションを行うことができ、キャリアアグリゲーションのセカンダリ搬送波の追加後、周波数点の測定ギャップの使用と設定に影響を与える可能性がある。よって、第１基地局と第２基地局は、端末の測定能力を再度協議して取得する必要がある。以下の実施例において、第１基地局は、ｅＮＢであり、第２基地局は、ｇＮＢであり、または、第１基地局は、ｇＮＢであり、第２基地局は、ｅＮＢである。
【００９３】
図４または図５を基に、図６を参照し、前記測定設定方法は、さらに以下のステップを含む。
【００９４】
ステップ６０１において、第１基地局が端末に対し前記第１通信システムの新規の搬送波を１つ設定すると、各搬送波の周波数点測定の測定ギャップ能力の第１更新情報を前記第１基地局にフィードバックする。上記新規の搬送波、新規に追加したセカンダリ搬送波であり、上記各搬送波は、新規に追加したセカンダリ搬送波と元のプライマリ搬送波を含む。
【００９５】
具体的に、（１）ＵＥは、第１通信システム側の新規追加した搬送波の測定に測定ギャップが必要であるかの情報を第１基地局にフィードバックする。該情報は、第１通信システムの周波数点の測定に測定ギャップが必要であるか、および第２通信システムの周波数点の測定に測定ギャップであるかを含む。
（２）プライマリ搬送波の測定ギャップ能力が変更すると、ＵＥは、第１通信システム側の元のプライマリ搬送波に測定ギャップが必要であるかの情報更新を第１基地局にフィードバックする。該情報更新は、第１通信システムの周波数点の測定に測定ギャップが必要であるか、および第２通信システムの周波数点の測定に測定ギャップであるかを含む。
【００９６】
ステップ６０２において、第１基地局が前記第１更新情報に基づいてＵＥに対し設定した第１通信システム側のすべての搬送波の周波数点測定の測定ギャップを受信する。
【００９７】
上記すべての搬送波は、プライマリ搬送波と新規追加したセカンダリ搬送波を含む。
【００９８】
第１基地局は、ＵＥの更新後情報に基づいて、ＵＥに対し第１通信システム側のプライマリ搬送波および新規追加したセカンダリ搬送波の測定ギャップをそれぞれ設定する。該測定ギャップは、第１通信システムの周波数点測定の測定ギャップおよび第２通信システムの周波数点測定の測定ギャップを含む。上記２つの測定ギャップは、同一であってもよい。
【００９９】
本実施例において、異システムデュアル接続のキャリアアグリゲーションのシーンでは、第１基地局と第２基地局が端末の測定能力を再度協議して取得することが実現され、測定ギャップ設定を最適化し、測定オーバヘッドを節約する。
【０１００】
図６を基に、図７を参照し、前記第２通信システム側の搬送波の周波数点測定の測定ギャップ能力が変化すると、前記測定設定方法において、第２通信システム側で測定ギャップが必要であるかの第２更新情報を第２基地局に送信するステップ７０１と、第２基地局が第２更新情報に基づいてＵＥに対し設定した第２通信システムの周波数点測定の測定ギャップを受信するステップ７０２とをさらに含む。上記第２更新情報は、第１通信システムの周波数点の測定に測定ギャップが必要であるか、および、第２通信システムの周波数点の測定に測定ギャップが必要であるかを含む。
【０１０１】
上記第２通信システムの周波数点測定の測定ギャップは、第１通信システムの周波数点測定の測定ギャップと、第２通信システムの周波数点測定の測定ギャップを含む。
【０１０２】
本実施例において、異システムデュアル接続のキャリアアグリゲーションのシーンでは、第１基地局と第２基地局が端末の測定能力を再度協議して取得することが実現され、測定ギャップ設定を最適化し、測定オーバヘッドを節約する。
【０１０３】
図６を基に、図８を参照し、第２通信システム側の搬送波の周波数点測定の測定ギャップ能力が変化すると、前記測定設定方法において、第２通信システム側で測定ギャップが必要であるかの第３更新情報を第１基地局に送信するステップ８０１と、第１基地局が前記第３更新情報に基づいてＵＥに対し設定した第２通信システムの周波数点測定の測定ギャップを受信するステップ８０２とをさらに含む。上記第３更新情報は、第１通信システムの周波数点の測定に測定ギャップが必要であるか、および第２通信システムの周波数点の測定に測定ギャップが必要であるかを含む。
【０１０４】
上記のＵＥに対し設定した第２通信システムの周波数点測定の測定ギャップは、第１通信システムの周波数点測定の測定ギャップおよび第２通信システムの周波数点測定の測定ギャップを含む。上記２つの測定ギャップは、同一であってもよい。本実施例において、第２通信システムの周波数点測定の測定ギャップを、第１基地局から第２基地局に知らせられる。
【０１０５】
本実施例において、異システムデュアル接続のキャリアアグリゲーションのシーンでは、第１基地局と第２基地局が端末の測定能力を再度協議して取得することが実現され、測定ギャップ設定を最適化し、測定オーバヘッドを節約する。
【０１０６】
図９は、本開示のまた別の実施例における異システムデュアル接続の端末の測定設定方法のフローチャートである。図９に示すように、当該方法において、第１通信システムの周波数点の情報および第１通信システムの周波数点測定に測定ギャップが必要であるかの要求を含む第１測定設定と、第２通信システムの周波数点の情報および第２通信システムの周波数点測定に測定ギャップが必要であるかの要求を含む第２測定設定を第１通信システムの第１基地局から受信するステップ９０１と、前記第１通信システムの周波数点測定に測定ギャップが必要であるかの情報、および、前記第２通信システムの周波数点測定に測定ギャップが必要であるかの情報を第１基地局にフィードバックするステップ９０２と、第１基地局によって設定される第１通信システムの周波数点測定の測定ギャップおよび第２通信システムの周波数点測定の測定ギャップを受信するステップ９０３を含む。
【０１０７】
図３、図４または図９を基に、図１０を参照し、前記測定設定方法は、さらに以下のステップを含む。
【０１０８】
ステップ１００１において、第２通信システムの基地局に対し測定を行うための第３測定設定を、第１通信システムの第１基地局から受信する。前記第３測定設定は、第２通信システムの周波数点の情報と第２通信システムの周波数点測定の測定ギャップを含む。第２通信システムの基地局に対し測定を行うための第３測定設定を、第１通信システムの第１基地局から受信することは、第１基地局から送信される第２通信システムの周波数点の情報および対応する周波数点測定に測定ギャップが必要であるかの要求を受信することと、第２通信システムの周波数点測定に測定ギャップが必要であるかのフィードバック結果を前記第１基地局に送信することと、前記第１基地局がフィードバック結果に基づいて特定される第２通信システムの周波数点測定の測定ギャップを前記第１基地局から受信することとを含む。
【０１０９】
ステップ１００２において、前記第１測定設定に基づいて、第２通信システムの基地局を測定して測定結果を取得し、前記測定結果を第１基地局に報知する。
【０１１０】
ステップ１００３において、第２通信システムのうち、前記第１基地局が前記測定結果に基づいて前記第２通信システムの基地局から選択した第２基地局の関連情報を前記第１基地局から受信する。
【０１１１】
ステップ１００４において、前記第２通信システムの第２基地局と接続を確立して、前記ＵＥと前記第１通信システムの第１基地局および前記第２通信システムの第２基地局との異システムデュアル接続を確立する。
【０１１２】
本開示の実施例における異システムデュアル接続の異システムは、異なる無線アクセス技術が用いられる第１通信システムと第２通信システムを含む。ここで、第１通信システムの第１基地局は、デュアル接続のプライマリ基地局であり、第２通信システムの第２基地局は、デュアル接続のセカンダリ基地局である。
【０１１３】
以下、第１通信システムがＬＴＥシステムであり、第２通信システムが５Ｇ  ＮＲであることを例として説明し、それに応じて、第１基地局をｅＮＢで示し、第２基地局をｇＮＢで示す。
【０１１４】
図１１を参照する。図１１は、一実施例におけるＬＴＥシステムと５Ｇ  ＮＲの異システムデュアル接続の端末の測定設定方法のフローを示す。具体的なステップは、以下である。
【０１１５】
ステップ１において、ｅＮＢは、ｇＮＢの測定設定をＵＥ（端末）に配信する。当該測定設定は、ＮＲ周波数点の情報および対応するＮＲ周波数点の測定にｍｅａｓｕｒｅｍｅｎｔ  ｇａｐが必要であるかのｒｅｑｕｅｓｔ（要求）を含む。
【０１１６】
ステップ２において、ＵＥは、ＮＲ周波数点の測定にｍｅａｓｕｒｅｍｅｎｔ  ｇａｐが必要であるかをｅＮＢにフィードバックする。
【０１１７】
ステップ３において、ｅＮＢは、ｍｅａｓｕｒｅｍｅｎｔ  ｇａｐをＵＥに対し設定する。
【０１１８】
ステップ４において、ＵＥは、ｇＮＢの測定結果をｅＮＢに報知する。
【０１１９】
ステップ５において、ｅＮＢは、ＵＥに対し適切なｇＮＢを選択してＳＮ（ｓｅｃｏｎｄａｒｙ  Ｎｏｄｅ）として異システムデュアル接続を行う。
【０１２０】
上記ステップ１〜ステップ５において、ｅＮＢは、ＵＥに対し異システム測定を設定し、異システム基地局を追加することによって、異システムデュアル接続を形成する。
【０１２１】
ステップ６において、ｅＮＢは、自身で生じた測定設定をＵＥに送信する。測定設定は、ＬＴＥ周波数点の情報および対応するＬＴＥ周波数点の測定にｍｅａｓｕｒｅｍｅｎｔ  ｇａｐが必要であるかのｒｅｑｕｅｓｔを含む。
【０１２２】
ステップ７において、ｇＮＢは、自身で生じた測定設定をＵＥに送信する。測定設定は、ＮＲ周波数点の情報および対応するＮＲ周波数点の測定にｍｅａｓｕｒｅｍｅｎｔ  ｇａｐが必要であるかのｒｅｑｕｅｓｔを含む。
【０１２３】
なお、本実施例において、上記ステップ６とステップ７の前後順を限定しない。ステップ７は、ステップ６の前に実行されてもよく、または、ステップ６とステップ７とは、同時に実行されてもよい。
【０１２４】
ステップ８において、ＵＥは、ＬＴＥ側でのＬＴＥ周波数点測定にｍｅａｓｕｒｅｍｅｎｔ  ｇａｐが必要であるかの情報をｅＮＢにフィードバックする。
【０１２５】
具体的に、ＵＥは、ＬＴＥ周波数点の測定にｍｅａｓｕｒｅｍｅｎｔ  ｇａｐが必要であるか、ＮＲ周波数点の測定にｍｅａｓｕｒｅｍｅｎｔ  ｇａｐが必要であるかをフィードバックする。
【０１２６】
ステップ９において、ＵＥは、ＮＲ側でのＮＲ周波数点測定にｍｅａｓｕｒｅｍｅｎｔ  ｇａｐが必要であるかの情報をｇＮＢにフィードバックする。
【０１２７】
具体的に、ＵＥは、ＮＲ周波数点の測定にｍｅａｓｕｒｅｍｅｎｔ  ｇａｐが必要であるか、ＬＴＥ周波数点の測定にｍｅａｓｕｒｅｍｅｎｔ  ｇａｐが必要であるかをフィードバックする。
【０１２８】
なお、本実施例において、上記ステップ８とステップ９の前後順を限定しない。ステップ９は、ステップ８の前に実行されてもよく、または、ステップ８とステップ９とは、同時に実行されてもよい。
【０１２９】
ステップ１０において、ｅＮＢは、ＬＴＥ周波数点の測定の測定ギャップとＮＲ周波数点の測定のｍｅａｓｕｒｅｍｅｎｔ  ｇａｐ  を含むＬＴＥ側のｍｅａｓｕｒｅｍｅｎｔ  ｇａｐをＵＥに対し設定する。
【０１３０】
上記２つのｍｅａｓｕｒｅｍｅｎｔ  ｇａｐは、同一であってもよい。ｍｅａｓｕｒｅｍｅｎｔ  ｇａｐが必要でない場合、ｍｅａｓｕｒｅｍｅｎｔ  ｇａｐの長さは、０に設定される。
【０１３１】
ステップ１１において、ｇＮＢは、ＮＲ周波数点の測定のｍｅａｓｕｒｅｍｅｎｔ  ｇａｐとＬＴＥ周波数点の測定のｍｅａｓｕｒｅｍｅｎｔ  ｇａｐを含むＮＲ側のｍｅａｓｕｒｅｍｅｎｔ  ｇａｐをＵＥに対し設定する。
【０１３２】
上記２つのｍｅａｓｕｒｅｍｅｎｔ  ｇａｐは、同一であってもよい。ｍｅａｓｕｒｅｍｅｎｔ  ｇａｐが必要でない場合、ｍｅａｓｕｒｅｍｅｎｔ  ｇａｐの長さは、０に設定される。
【０１３３】
なお、本実施例において、上記ステップ１０とステップ１１の前後順を限定しない。ステップ１１は、ステップ１０の前に実行されてもよく、または、ステップ１０とステップ１１とは、同時に実行されてもよい。
【０１３４】
ｅＮＢおよび／またはｇＮＢの測定設定のうちの周波数点情報が変更すると、ステップ６および／またはステップ７をトリガーする。ＵＥは、更新後の測定設定を受信すると、現在のｍｅａｓｕｒｅｍｅｎｔ  ｇａｐ設定が適切であるかを判断する。ＬＴＥ側および／またはＮＲ側のｍｅａｓｕｒｅｍｅｎｔ  ｇａｐ設定を変更する必要があると、ステップ８〜１１のフローをトリガーする。
【０１３５】
図１２を参照する。図１２は、別の実施例におけるＬＴＥシステムと５Ｇ  ＮＲの異システムデュアル接続の端末の測定設定方法のフローを示す。具体的なステップは、以下である。
【０１３６】
ステップ１において、ｅＮＢは、ｇＮＢの測定設定をＵＥに配信する。測定設定は、ＮＲ周波数点の情報および対応するＮＲ周波数点の測定にｍｅａｓｕｒｅｍｅｎｔ  ｇａｐが必要であるかのｒｅｑｕｅｓｔを含む。
【０１３７】
ステップ２において、ＵＥは、ＮＲ周波数点の測定にｍｅａｓｕｒｅｍｅｎｔ  ｇａｐが必要であるかをｅＮＢにフィードバックする。
【０１３８】
ステップ３において、ｅＮＢは、ｍｅａｓｕｒｅｍｅｎｔ  ｇａｐをＵＥに対し設定する。
【０１３９】
ステップ４において、ＵＥは、ｇＮＢの測定結果をｅＮＢに報知する。
【０１４０】
ステップ５において、ｅＮＢは、ＵＥに対し適切なｇＮＢを選択してＳＮ（ｓｅｃｏｎｄａｒｙ  Ｎｏｄｅ）として異システムデュアル接続を行う。
【０１４１】
上記ステップ１〜ステップ５において、ｅＮＢは、ＵＥに対し異システム測定を設定し、異システム基地局を追加することによって、異システムデュアル接続を形成する。
【０１４２】
ステップ６において、ｅＮＢは、自身の測定設定を生じ、測定設定をＵＥに送信する。該測定設定は、ＬＴＥ周波数点の情報および対応する周波数点の測定にｍｅａｓｕｒｅｍｅｎｔ  ｇａｐが必要であるかのｒｅｑｕｅｓｔを含む。
【０１４３】
ステップ７において、ｇＮＢは、自身で生じた測定設定をＵＥに送信する。測定設定は、ＮＲ周波数点の情報および対応する周波数点の測定にｍｅａｓｕｒｅｍｅｎｔ  ｇａｐが必要であるかのｒｅｑｕｅｓｔを含む。
【０１４４】
なお、本実施例において、上記ステップ６とステップ７の前後順を限定しない。ステップ７は、ステップ６の前に実行されてもよく、または、ステップ６とステップ７とは、同時に実行されてもよい。
【０１４５】
ステップ８において、ＵＥは、ＬＴＥの周波数点の測定にｍｅａｓｕｒｅｍｅｎｔ  ｇａｐが必要であるか、およびＮＲ周波数点の測定にｇａｐが必要であるかを含む、ＬＴＥの周波数点測定にｍｅａｓｕｒｅｍｅｎｔ  ｇａｐが必要であるかの情報をｅＮＢにフィードバックし、ＬＴＥ周波数点の測定にｍｅａｓｕｒｅｍｅｎｔ  ｇａｐが必要であるか、およびＮＲ周波数点の測定にｍｅａｓｕｒｅｍｅｎｔ  ｇａｐが必要であるかを含むＮＲの周波数点測定にｍｅａｓｕｒｅｍｅｎｔ  ｇａｐが必要であるかの情報をｅＮＢにフィードバックする。
【０１４６】
ステップ９において、ｅＮＢは、ＬＴＥの周波数点の測定のｇａｐとＮＲの周波数点の測定のｍｅａｓｕｒｅｍｅｎｔ  ｇａｐをそれぞれ含むＬＴＥ側のｍｅａｓｕｒｅｍｅｎｔ  ｇａｐをＵＥに対し設定する。上記２つのｍｅａｓｕｒｅｍｅｎｔ  ｇａｐは、同一であってもよい。ｍｅａｓｕｒｅｍｅｎｔ  ｇａｐが必要でない場合、ｍｅａｓｕｒｅｍｅｎｔ  ｇａｐの長さは、０に設定される。ｅＮＢは、ＬＴＥの周波数点の測定のｍｅａｓｕｒｅｍｅｎｔ  ｇａｐとＮＲの周波数点の測定のｍｅａｓｕｒｅｍｅｎｔ  ｇａｐをそれぞれ含むＮＲ側のｍｅａｓｕｒｅｍｅｎｔ  ｇａｐをＵＥに対し設定する。上記２つのｍｅａｓｕｒｅｍｅｎｔ  ｇａｐは、同一であってもよい。ｍｅａｓｕｒｅｍｅｎｔ  ｇａｐが必要でない場合、ｍｅａｓｕｒｅｍｅｎｔ  ｇａｐの長さは、０に設定される。
【０１４７】
ステップ１０において、ｅＮＢは、ＬＴＥ周波数点の測定のｍｅａｓｕｒｅｍｅｎｔ  ｇａｐとＮＲ周波数点の測定のｍｅａｓｕｒｅｍｅｎｔ  ｇａｐを含むＮＲ側のｍｅａｓｕｒｅｍｅｎｔ  ｇａｐ設定をｇＮＢに知らせる。上記２つのｍｅａｓｕｒｅｍｅｎｔ  ｇａｐは、同一であってもよい。
【０１４８】
当該ＮＲ側のｍｅａｓｕｒｅｍｅｎｔ  ｇａｐ設定は、ｅＮＢとｇＮＢとの間のインタフェース、たとえばＸｎインタフェースで伝達される。また、当該ＮＲ側のｍｅａｓｕｒｅｍｅｎｔ  ｇａｐ設定は、ｅＮＢからコアネットワークへ、コアネットワークからｇＮＢへの方式で送信されてもよい。
【０１４９】
ｅＮＢおよび／またはｇＮＢの測定設定のうちの周波数点情報が変更すると、ステップ６および／またはステップ７をトリガーする。ＵＥは、更新後の測定設定を受信すると、現在のｍｅａｓｕｒｅｍｅｎｔ  ｇａｐ設定が適切であるかを判断する。ｍｅａｓｕｒｅｍｅｎｔ  ｇａｐ設定を変更する必要があると、ステップ８〜１０のフローをトリガーする。
【０１５０】
図１１と図１２のステップ６とステップ７において、ｇＮＢ自らで測定設定を生じて直接ＵＥに送信する。別の手段として、ｇＮＢは、自ら生じた測定設定をｅＮＢによってＵＥに送信する。図１２を基に、図１３を参照し、ステップ６とステップ７のフローは、以下である。
【０１５１】
ステップ６において、ｇＮＢは、自身の測定設定を生じる。当該測定設定は、ｅＮＢとｇＮＢとの間のインタフェース、たとえばＸｎインタフェースで伝達される。また、当該測定設定は、ｇＮＢからコアネットワークへ、コアネットワークからｅＮＢへの方式で送信されてもよい。
【０１５２】
ステップ７において、ｅＮＢは、自身で生じた測定設定および対応する周波数点測定にｍｅａｓｕｒｅｍｅｎｔ  ｇａｐが必要であるかのｒｅｑｕｅｓｔをＵＥに送信し、ｇＮＢで生じた測定設定および対応する周波数点測定にｍｅａｓｕｒｅｍｅｎｔ  ｇａｐが必要であるかのｒｅｑｕｅｓｔをＵＥに送信する。
【０１５３】
当該２つのステップに対する変更は、図１１に示すフローに対しても適用する。
【０１５４】
異システムデュアル接続でキャリアアグリゲーションが行われる場合、異システムデュアル接続の各システムが、キャリアアグリゲーションを行うことができ、キャリアアグリゲーションのセカンダリ搬送波の追加後に、測定ギャップの使用および設定に影響を与える可能性がある。よって、プライマリ基地局とセカンダリ基地局が端末の測定能力を再度協議して取得する必要がある。
【０１５５】
図１４を参照する。図１４は、一実施例におけるＬＴＥシステムと５Ｇ  ＮＲの異システムデュアル接続のキャリアアグリゲーションのシーンでの端末の測定設定方法のフローを示す。具体的なフローは、以下である。
【０１５６】
ステップ１において、ｅＮＢは、ＵＥに対し１つのＬＴＥのセカンダリ搬送波を追加し、ＬＴＥ内部のキャリアアグリゲーションを形成する。本実施例において、ＵＥは、ＬＴＥとＮＲのデュアル接続が設定されている。
【０１５７】
ステップ２において、新規の搬送波の追加後、ＵＥは、ｍｅａｓｕｒｅｍｅｎｔ  ｇａｐ能力の更新をｅＮＢにフィードバックし、かつ搬送波毎に単独にフィードバックされる。
【０１５８】
具体的に、ＵＥは、ＬＴＥの周波数点の測定にｍｅａｓｕｒｅｍｅｎｔ  ｇａｐが必要であるか、およびＮＲの周波数点の測定にｍｅａｓｕｒｅｍｅｎｔ  ｇａｐが必要であるかを含む、ＬＴＥ側の新規追加のセカンダリ搬送波の測定にｍｅａｓｕｒｅｍｅｎｔ  ｇａｐが必要であるかの情報をｅＮＢにフィードバックする。プライマリ搬送波のｍｅａｓｕｒｅｍｅｎｔ  ｇａｐ能力が変更すると、ＵＥは、ＬＴＥの周波数点の測定にｍｅａｓｕｒｅｍｅｎｔ  ｇａｐが必要であるか、およびＮＲの周波数点の測定にｍｅａｓｕｒｅｍｅｎｔ  ｇａｐが必要であるかを含む、ＬＴＥ側の元プライマリ搬送波にｍｅａｓｕｒｅｍｅｎｔ  ｇａｐが必要であるかの情報更新をｅＮＢにフィードバックする。
【０１５９】
ステップ３において、ＵＥは、新規搬送波の追加後に、ＮＲ側のｍｅａｓｕｒｅｍｅｎｔ  ｇａｐ能力が変更すると、ＬＴＥの周波数点の測定にｍｅａｓｕｒｅｍｅｎｔ  ｇａｐが必要であるか、およびＮＲの周波数点の測定にｍｅａｓｕｒｅｍｅｎｔ  ｇａｐが必要であるかを含む、ＮＲ側にｍｅａｓｕｒｅｍｅｎｔ  ｇａｐが必要であるかの情報更新をｇＮＢに送信する。
【０１６０】
ステップ４において、ｅＮＢは、ＵＥで更新された情報に基づいて、ＬＴＥ周波数点の測定のｍｅａｓｕｒｅｍｅｎｔ  ｇａｐ設定とＮＲ周波数点の測定のｍｅａｓｕｒｅｍｅｎｔ  ｇａｐ設定をそれぞれ含む、ＬＴＥ側の２つの搬送波のｍｅａｓｕｒｅｍｅｎｔ  ｇａｐをＵＥに対しそれぞれ設定する。上記２つのｍｅａｓｕｒｅｍｅｎｔ  ｇａｐは、同一であってもよい。
【０１６１】
ステップ５において、ｇＮＢは、ＵＥで更新された情報に基づいて、ＬＴＥ周波数点の測定のｍｅａｓｕｒｅｍｅｎｔ  ｇａｐ設定とＮＲ周波数点の測定のｍｅａｓｕｒｅｍｅｎｔ  ｇａｐ設定を含む、ＮＲ側のｍｅａｓｕｒｅｍｅｎｔ  ｇａｐをＵＥに対しそれぞれ設定する。上記２つのｍｅａｓｕｒｅｍｅｎｔ  ｇａｐは、同一であってもよい。
【０１６２】
なお、ｇＮＢでセカンダリ搬送波追加の場合のフローは、以上と同一であるため、ここでは繰り返して記載しない。
【０１６３】
図１５を参照する。図１５は、別の実施例における異システムデュアル接続のキャリアアグリゲーションのシーンでの端末の測定設定方法のフローを示す。具体的なフローは、以下である。
【０１６４】
ステップ１において、ｅＮＢは、ＵＥに対し１つのＬＴＥのセカンダリ搬送波を追加し、ＬＴＥ内部のキャリアアグリゲーションを形成する。
【０１６５】
ステップ２において、ＵＥは、ＬＴＥとＮＲのデュアル接続が設定されている。新規の搬送波の追加後、ＵＥは、ＬＴＥ側のｍｅａｓｕｒｅｍｅｎｔ  ｇａｐ能力の更新をｅＮＢにフィードバックし、かつ搬送波毎に単独にフィードバックされる。
【０１６６】
具体的に、ＵＥは、ＬＴＥの周波数点の測定にｍｅａｓｕｒｅｍｅｎｔ  ｇａｐが必要であるか、およびＮＲの周波数点の測定にｍｅａｓｕｒｅｍｅｎｔ  ｇａｐが必要であるかを含む、ＬＴＥ側の新規追加のセカンダリ搬送波の測定にｍｅａｓｕｒｅｍｅｎｔ  ｇａｐが必要であるかの情報をｅＮＢにフィードバックする。プライマリ搬送波のｍｅａｓｕｒｅｍｅｎｔ  ｇａｐ能力が変更すると、ＵＥは、ＬＴＥの周波数点の測定にｍｅａｓｕｒｅｍｅｎｔ  ｇａｐが必要であるか、およびＮＲの周波数点の測定にｍｅａｓｕｒｅｍｅｎｔ  ｇａｐが必要であるかを含む、ＬＴＥ側の元プライマリ搬送波にｍｅａｓｕｒｅｍｅｎｔ  ｇａｐが必要であるかの情報更新をｅＮＢにフィードバックする。
【０１６７】
ＵＥは、新規搬送波の追加後に、ＮＲ側のｍｅａｓｕｒｅｍｅｎｔ  ｇａｐ能力が変更すると、ＬＴＥの周波数点の測定にｍｅａｓｕｒｅｍｅｎｔ  ｇａｐが必要であるか、およびＮＲの周波数点の測定にｍｅａｓｕｒｅｍｅｎｔ  ｇａｐが必要であるかを含む、ＮＲ側のｍｅａｓｕｒｅｍｅｎｔ  ｇａｐ能力の更新をｅＮＢにフィードバックする。
【０１６８】
ステップ３において、ｅＮＢは、ＵＥで更新された情報に基づいて、ＬＴＥ周波数点測定のｍｅａｓｕｒｅｍｅｎｔ  ｇａｐ設定とＮＲ周波数点測定のｍｅａｓｕｒｅｍｅｎｔ  ｇａｐ設定をそれぞれ含む、ＬＴＥ側の２つの搬送波のｍｅａｓｕｒｅｍｅｎｔ  ｇａｐをＵＥに対しそれぞれ設定する。上記２つのｍｅａｓｕｒｅｍｅｎｔ  ｇａｐは、同一であってもよい。
【０１６９】
ステップ４において、ｅＮＢは、ＵＥで更新された情報に基づいて、ＬＴＥ周波数点の測定のｍｅａｓｕｒｅｍｅｎｔ  ｇａｐ設定とＮＲ周波数点の測定のｍｅａｓｕｒｅｍｅｎｔ  ｇａｐ設定を含む、ＮＲ側のｍｅａｓｕｒｅｍｅｎｔ  ｇａｐをＵＥに対し設定する。上記２つのｍｅａｓｕｒｅｍｅｎｔ  ｇａｐは、同一であってもよい。
【０１７０】
ｅＮＢは、更新後のＮＲ側のｍｅａｓｕｒｅｍｅｎｔ  ｇａｐ設定をｇＮＢに知らせる。当該情報は、ｅＮＢとｇＮＢとの間のインタフェース、たとえばＸｎインタフェースで伝達される。また、当該情報は、ｅＮＢからコアネットワークへ、コアネットワークからｇＮＢへの方式で送信されてもよい。
【０１７１】
ｇＮＢでセカンダリ搬送波追加の場合のフローは、以上と同一であるため、ここでは繰り返して記載しない。本実施例において、別の測定設定方法をさらに提供する。端末は、ネットワーク側で設定される測定設定および測定ギャップを受信する。当該測定ギャップは、各通信システムで端末にサポートされる周波数帯域および周波数帯域組み合わせに基づいて、ネットワーク側によって特定される。最後に、端末は、受信した測定設定および測定ギャップに基づいて測定を実行する。具体的なステップは、以下である。
【０１７２】
ステップ１において、ＵＥは、第１通信システムの測定設定情報と第２通信システムの測定設定を受信する。第１通信システムの測定設定は、第１通信システムの測定周波数点情報を含み、第２通信システムの測定設定は、第１通信システムの測定周波数点情報を含む。
【０１７３】
ステップ２において、第１通信システムと第２通信システムとの間で測定設定をやり取りする。
【０１７４】
第１通信システムと第２通信システムとの間において、２つの通信システムの間のインタフェース、たとえばＸｎインタフェースによって測定設定を伝達する。または、第１通信システムからコアネットワークへ、コアネットワークから第２通信システムへの方式で送信されてもよい。
【０１７５】
ステップ３において、第１通信システムと第２通信システムとの間において、それぞれの通信システムでＵＥにサポートされる周波数帯域および周波数帯域組み合わせ情報をやり取りする。
【０１７６】
第１通信システムと第２通信システムとの間において、２つの通信システムの間のインタフェース、たとえばＸｎインタフェースによって周波数帯域情報および周波数帯域組み合わせ情報を伝達する。または、第１通信システムからコアネットワークへ、コアネットワークから第２通信システムへの方式で送信されてもよい。
【０１７７】
ステップ４において、ＵＥは、設定された前記第１通信システムの周波数点測定の測定ギャップ、および設定された前記第２通信システムの周波数点測定の測定ギャップを受信する。前記２つのシステムの測定ギャップは、同一であってもよく、異なってもよい。
【０１７８】
ステップ５において、ＵＥは、受信した測定設定と測定ギャップに基づいて測定を実行する。
【０１７９】
図１６を参照する。図１６は、基地局側の測定設定方法のフローを示す。具体的なステップは、以下である。ステップ１６０１において、第１通信システムの測定周波数点情報を含む第１測定設定を、前記第１基地局に接続される端末に送信する。ステップ１６０２において、前記第１通信システムの周波数点測定の測定ギャップを前記端末に送信する。
【０１８０】
選択可能に、引き続き図１６を参照し、ステップ１６０２の前に、前記方法において、前記端末からフィードバックされる前記第１通信システムの周波数点測定に測定ギャップが必要であるかの情報を受信するステップ１６０３をさらに含む。
【０１８１】
本実施例において、選択可能に、前記第１測定設定は、第１通信システムの周波数点測定に測定ギャップが必要であるかの要求をさらに含む。前記第２測定設定は、第２通信システムの周波数点測定に測定ギャップが必要であるかの要求をさらに含む。
【０１８２】
本実施例において、選択可能に、前記方法において、第２通信システムのうち、前記端末に接続される第２基地局に前記第１測定設定を送信することと、第２通信システムの測定周波数点情報を含む第２測定設定を、前記第２通信システムの第２基地局から受信することとをさらに含む。
【０１８３】
本実施例において、選択可能に、前記方法において、前記第１通信システムで前記端末にサポートされる周波数帯域情報および／または周波数帯域組み合わせ情報を、第２通信システムのうち、前記端末に接続される第２基地局に送信することと、前記第２通信システムで前記端末にサポートされる周波数帯域情報および／または周波数帯域組み合わせ情報を、前記第２通信システムの第２基地局から受信することとをさらに含む。
【０１８４】
本実施例において、端末は、測定ギャップおよびネットワーク側で設定される測定設定の受信に基づいて測定を実行する。ここで測定ギャップは、端末によって特定されるものであってもよく、ネットワーク側で設定されるものであってもよい。端末による測定能力の報知のシグナリングオーバヘッドを効果的に低減し、端末から、サポート可能なすべての周波数帯域および周波数帯域組み合わせの測定能力を報知するシグナリングオーバヘッドが大きいという問題を回避する。
【０１８５】
図２１を参照する。図２１は、実行エンティティが第１通信システムの第１基地局である測定設定方法のフローを示す。具体的なステップは、以下である。
ステップ２１０１において、第１通信システムの測定周波数点情報を含む第１測定設定を、前記第１基地局に接続される端末に送信する。
ステップ２１０２において、第２通信システムの測定周波数点情報を含む第２測定設定を、前記第２通信システムの第２基地局から受信する。
ステップ２１０３において、測定ギャップ設定を前記端末に送信する。
【０１８６】
同一の発明思想に基づき、本開示の実施例は、端末をさらに提供する。当該端末は、問題を解決する原理が本開示の実施例の図２〜図１６における測定設定方法に似るため、その実施について方法の実施を参照されたく、重複なところを繰り返して記載しない。
【０１８７】
図１７は、本開示の一実施例における端末の構造図である。図１７に示すように、当該端末１７００は、第１受信器１７０１を含む。前記第１受信器１７０１は、第１通信システムの周波数点の情報を含む第１測定設定と、第２通信システムの周波数点の情報を含む第２測定設定をネットワーク側から受信する。前記第１受信器１７０１は、さらに、前記ネットワーク側で設定される前記第１通信システムの周波数点の測定の測定ギャップおよび前記第２通信システムの周波数点の測定の測定ギャップを受信する。
【０１８８】
選択可能に、引き続き図１７を参照する。前記端末１７００は、第１送信器１７０２をさらに含む。前記第１送信器１７０２は、前記第１通信システムの周波数点測定に測定ギャップが必要であるかの情報、および、前記第２通信システムの周波数点測定に測定ギャップが必要であるかの情報を前記ネットワーク側にフィードバックする。
【０１８９】
選択可能に、前記第１測定設定は、第１通信システムの周波数点測定に測定ギャップが必要であるかの要求をさらに含み、前記第２測定設定は、第２通信システムの周波数点測定に測定ギャップが必要であるかの要求をさらに含む。
【０１９０】
選択可能に、前記第１受信器１７０１は、さらに、前記第１通信システムの第１基地局から送信される第１測定設定を受信し、前記第２通信システムの第２基地局から送信される第２測定設定を受信する。前記第１送信器１７０２は、さらに、前記第１通信システムの周波数点測定に測定ギャップが必要であるかの情報を前記第１基地局にフィードバックし、前記第１通信システムの周波数点測定に測定ギャップが必要であるかの情報を第２基地局にフィードバックする。前記第１受信器１７０１は、さらに、前記第１基地局で設定される第１通信システムの周波数点測定の測定ギャップを受信し、前記第２基地局で設定される第２通信システムの周波数点測定の測定ギャップを受信する。
【０１９１】
選択可能に、前記第１受信器１７０１は、さらに、前記第１通信システムの第１基地局から送信される第１測定設定を受信し、前記第２通信システムの第２基地局から送信される第２測定設定を受信する。前記第１送信器１７０２は、さらに、前記第１通信システムの周波数点測定に測定ギャップが必要であるかの情報、および、前記第２通信システムの周波数点測定に測定ギャップが必要であるかの情報を前記第１基地局にフィードバックする。前記第１受信器１７０１は、さらに、前記第１基地局で設定される第１通信システムの周波数点測定の測定ギャップおよび第２通信システムの周波数点測定の測定ギャップを受信する。
【０１９２】
選択可能に、前記第１送信器１７０２は、さらに、前記第１基地局が端末に対し前記第１通信システムの新規の搬送波を１つ設定した後に、各搬送波の周波数点測定の測定ギャップ能力の第１更新情報を前記第１基地局にフィードバックする。前記第１受信器１７０１は、さらに、前記第１基地局で前記第１更新情報に基づいて端末に対し設定した第１通信システム側のすべての搬送波の周波数点測定の測定ギャップを受信する。
【０１９３】
選択可能に、前記第１送信器１７０２は、さらに、第２通信システム側で測定ギャップが必要であるかの第２更新情報を前記第２基地局に送信する。前記第１受信器１７０１は、さらに、前記第２基地局が前記第２更新情報に基づいて端末に対し設定した第２通信システムの周波数点測定の測定ギャップを受信する。
【０１９４】
選択可能に、前記第１送信器１７０２は、さらに、第２通信システム側で測定ギャップが必要であるかの第３更新情報を前記第１基地局に送信する。前記第１受信器１７０１は、さらに、前記第１基地局が前記第３更新情報に基づいて端末に対し設定した第２通信システムの周波数点測定の測定ギャップを受信する。
【０１９５】
選択可能に、前記第１受信器１７０１は、さらに、前記第１通信システムの第１基地局から送信される第１測定設定と第２測定設定を受信する。前記第１送信器１７０２は、さらに、前記第１通信システムの周波数点測定に測定ギャップが必要であるかの情報、および、前記第２通信システムの周波数点測定に測定ギャップが必要であるかの情報を前記第１基地局にフィードバックする。前記第１受信器１７０１は、さらに、前記第１基地局で設定される第１通信システムの周波数点測定の測定ギャップおよび第２通信システムの周波数点測定の測定ギャップを受信する。
【０１９６】
選択可能に、前記第１受信器１７０１は、さらに、第２通信システムの少なくとも一部の基地局に対し測定を行うための第３測定設定を、前記第１通信システムの第１基地局から受信する。前記第１送信器１７０２は、さらに、前記第３測定設定に基づいて、前記第２通信システムの少なくとも一部の基地局を測定して測定結果を取得し、前記測定結果を前記第１基地局に報知する。前記第１受信器１７０１は、さらに、第２通信システムのうち、前記第１基地局が前記測定結果に基づいて前記第２通信システムの少なくとも一部の基地局から選択した第２基地局の関連情報を前記第１基地局から受信し、前記第２通信システムの第２基地局と接続を確立して、前記端末と前記第１通信システムの第１基地局および前記第２通信システムの第２基地局との異システムデュアル接続を確立する。
【０１９７】
選択可能に、前記第１受信器１７０１は、さらに、第１基地局から送信される第２通信システムの周波数点の情報および対応する周波数点測定に測定ギャップが必要であるかの要求を受信する。前記第１送信器１７０２は、さらに、第２通信システムの周波数点測定に測定ギャップが必要であるかのフィードバック結果を前記第１基地局に送信する。前記第１受信器１７０１は、さらに、前記第１基地局がフィードバック結果に基づいて特定される第２通信システムの周波数点測定の測定ギャップを前記第１基地局から受信する。
【０１９８】
本実施例における端末は、上記の方法実施例を実行可能であり、その実現原理と技術効果が類似する。よって、本実施例において、ここでは繰り返して記載しない。
【０１９９】
同一の発明思想に基づき、本開示の実施例は、第１基地局をさらに提供する。当該第１基地局は、問題を解決する原理が本開示の実施例の図２〜図１６における測定設定方法に似るため、その実施について方法の実施を参照されたく、重複なところを繰り返して記載しない。
【０２００】
図１８を参照する。図１８には、第１基地局の構造を示す。当該第１基地局１８００は、第２送信器１８０１を含む。第２送信器１８０１は、第１通信システムの測定周波数点情報を含む第１測定設定を、前記第１基地局に接続される端末に送信する。前記第２送信器１８０１は、さらに、前記第１通信システムの周波数点測定の測定ギャップを前記端末に送信する。
【０２０１】
選択可能に、図１８を引き続き参照する。前記第１基地局１８００は、前記端末からフィードバックされる前記第１通信システムの周波数点測定に測定ギャップが必要であるかの情報を受信する第２受信器１８０２をさらに含む。
【０２０２】
選択可能に、前記第１測定設定は、第１通信システムの周波数点測定に測定ギャップが必要であるかの要求をさらに含む。前記第２測定設定は、第２通信システムの周波数点測定に測定ギャップが必要であるかの要求をさらに含む。
【０２０３】
選択可能に、前記第２送信器１８０１は、さらに、前記第１測定設定を、第２通信システムのうち、前記端末に接続される第２基地局に送信する。前記第２受信器１８０２は、さらに、第２通信システムの測定周波数点情報を含む第２測定設定を、前記第２通信システムの第２基地局から受信する。
【０２０４】
選択可能に、前記第２送信器１８０１は、さらに、前記第１通信システムで前記端末にサポートされる周波数帯域情報および／または周波数帯域組み合わせ情報を、第２通信システムのうち、前記端末に接続される第２基地局に送信する。前記第２受信器１８０２は、さらに、前記第２通信システムで前記端末にサポートされる周波数帯域情報および／または周波数帯域組み合わせ情報を、前記第２通信システムの第２基地局から受信する。
【０２０５】
本実施例における第１基地局は、上記の方法実施例を実行可能であり、その実現原理と技術効果が類似する。よって、本実施例において、ここでは繰り返して記載しない。
【０２０６】
同一の発明思想に基づき、本開示の実施例は、第１基地局をさらに提供する。当該第１基地局は、問題を解決する原理が本開示の実施例の図２〜図１６における測定設定方法に似るため、その実施について方法の実施を参照されたく、重複なところを繰り返して記載しない。
【０２０７】
図２２を参照する。図２２は、第１基地局の構造を示す。当該第１基地局２２００は、第３送信器２２０１と第３受信器２２０２を含む。第３送信器２２０１は、第１通信システムの測定周波数点情報を含む第１測定設定を、前記第１基地局に接続される端末に送信する。第３受信器２２０２は、第２通信システムの測定周波数点情報を含む第２測定設定を、前記第２通信システムの第２基地局から受信する。前記第３送信器２２０１は、さらに、測定ギャップ設定を前記端末に送信する。
【０２０８】
なお、上記第１基地局は、プライマリ基地局であってもよくセカンダリ基地局であってもよい。
【０２０９】
下記実施例は、端末と基地局のハードウェア構造図をさらに提供する。
【０２１０】
図１９は、本開示の別の実施例における端末の構造図である。図１９に示すように、図１９に示す端末１９００は、少なくとも１つのプロセッサ１９０１と、メモリ１９０２と、少なくとも１つのネットワークインタフェース１９０４と、ユーザインタフェース１９０３を含む。端末１９００における各構成部品は、バスシステム１９０５を介して結合される。バスシステム１９０５は、これらの構成部品の間の接続と通信に用いられる。バスシステム１９０５は、データバスのほかに、電源バス、制御バスおよび状態信号バスをさらに含む。ただし、明確に説明するために、図１９において、各種類のバスをすべてバスシステム１９０５として標記している。
【０２１１】
ここで、ユーザインタフェース１９０３は、ディスプレイ、キーボードまたはポインティングデバイス（たとえばマウス、トラックボール（ｔｒａｃｋ  ｂａｌｌ））、タッチパネルまたはタッチスクリーンなどを含む。
【０２１２】
本開示の実施例におけるメモリ１９０２は、揮発性メモリまたは非揮発性メモリであり、または、揮発性メモリと非揮発性メモリの両方を含む。非揮発性メモリは、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ  ＥＰ  ＲＯＭ）またはフラッシュメモリである。揮発性メモリは、ＲＡＭ（Ｒａｎｄｏｍ  Ａｃｃｅｓｓ  Ｍｅｍｏｒｙ）であり、外部のキャッシュに用いられる。多くの形態のＲＡＭが使用可能であるが、その例として、例えばＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲＳＤＲＡＭ（Ｄｏｕｂｌｅ  Ｄａｔａ  Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈｌｉｎｋ  ＤＲＡＭ）、ＤＲＲＡＭ（Ｄｉｒｅｃｔ  Ｒａｍｂｕｓ  ＲＡＭ）が挙げられるが、それらに限られない。本開示の実施例に記載のシステム及び方法におけるメモリ１９０２は、これらに限られず、これらおよびこれら以外の任意の適合する種類のメモリを含むとする。
【０２１３】
一部実施例において、メモリ１９０２には、実行可能なモジュールまたはデータ構造、またはそれらのサブセット、または、それらの拡張セットであるオペレーションシステム１９０２１とアプリケーションプログラム１９０２２が記憶されている。
【０２１４】
ここで、オペレーションシステム１９０２１は、フレーム層プログラム、コアライブラリ層プログラム、駆動層プログラムなど各種類のシステムプログラムを含み、各種類のベーシックサービスの実現およびハードウェアによるタスクの処理に用いられる。アプリケーションプログラム１９０２２は、メディアプレイヤー（Ｍｅｄｉａ  Ｐｌａｙｅｒ）、ブラウザ（Ｂｒｏｗｓｅｒ）など各種類のアプリケーションプログラムを含み、各種類のアプリケーションサービスの実現に用いられる。本開示の実施例における方法を実現するプログラムは、アプリケーションプログラム１９０２２に含まれる。
【０２１５】
本開示の実施例において、メモリ１９０２に保存されているプログラムまたは指令を呼び出し、具体的に、アプリケーションプログラム１９０２２に保存されているプログラムまたは指令を呼び出すことによって、プロセッサ１９０１は、上記端末によって実行される方法を実行することができる。
【０２１６】
上記の本開示の実施例に開示される方法は、プロセッサ１９０１に応用可能であり、またはプロセッサ１９０１によって実現される。プロセッサ１９０１は、信号処理能力を有するＩＣチップである。実現プロセスにおいて、上記方法の各ステップは、プロセッサ１９０１におけるハードウェアの集積論理回路またはソフトウェア形式の指令によって遂行される。上記プロセッサ１９０１は、汎用プロセッサ、ＤＳＰ（Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）または他のプログラマブル論理デバイス、分離ゲートまたはトランジスタ論理デバイス、分離ハードウェアコンポーネントであり、本開示の実施例に開示される各方法、ステップおよび論理ブロック図を実現しまたは実行することができる。汎用プロセッサは、マイクロプロセッサまたは任意の通常プロセッサなどである。本開示の実施例に開示される方法のステップは、直接ハードウェアの復号プロセッサによって実行されて遂行されるか、復号プロセッサにおけるハードウェアおよびソフトウェアモジュールの組み合わせによって実行されて遂行される。ソフトウェアモジュールは、ＲＡＭ、フラッシュメモリ、ＲＯＭ、ＰＲＯＭまたはＥＥＰＲＯＭ、レジスタなど本分野の周知の記憶媒体に位置する。当該記憶媒体は、メモリ１９０２に位置する。プロセッサ１９０１は、メモリ１９０２における情報を読み取って、そのハードウェアと組み合わせて上記方法のステップを遂行する。
【０２１７】
本開示の実施例に記載のこれらの実施例は、ハードウェア、ソフトウェア、ファームウェア、ミドルウェア、マイクロコードまたはそれらの組み合わせによって実現される。ハードウェアによる実現について、処理ユニットは、１つまたは複数のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰ（Ｄｉｇｉｔａｌ  Ｓｉｇｎａｌ  Ｐｒｏｃｅｓｓｉｎｇ）、ＤＳＰＤ（ＤＳＰ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、汎用プロセッサ、コントローラ、マイクロコントローラ、マイクロプロセッサ、それ以外の本開示に記載の機能を実行するための電子ユニットまたはそれらの組み合わせで実現される。
【０２１８】
ソフトウェアによる実現について、本開示の実施例に記載の機能を実行するモジュール（例えばプロセス、関数など）によって本開示の実施例に記載の技術を実現することができる。ソフトウェアコードは、メモリに保存されてプロセッサによって実行される。メモリは、プロセッサの中またはプロセッサの外部で実現することができる。
【０２１９】
具体的に、プロセッサ１９０１は、メモリ１９０２に保存されるプログラムまたは指令を呼び出すことによって、上記方法実施例における端末に実行される方法を実行する。
【０２２０】
図２０は、本開示の一実施例における基地局の構造図である。図２０に示すように、当該基地局２０００は、アンテナ２００１と、ラジオ周波数装置２００２と、ベースバンド装置２００３を含む。アンテナ２００１は、ラジオ周波数装置２００２に接続される。アップリンク方法において、ラジオ周波数装置２００２は、アンテナ２００１を介して情報を受信し、受信した情報をベースバンド装置２００３に送信する。ダウンリンク方向において、ベースバンド装置２００３は、送信対象の情報を処理してラジオ周波数装置２００２に送信する。ラジオ周波数装置２００２は、受信した情報を処理してからアンテナ２００１を介して送信する。
【０２２１】
上記周波数バンド処理装置は、ベースバンド装置２００３に位置する。以上の実施例において基地局によって実行される方法は、ベースバンド装置２００３で実現可能である。当該ベースバンド装置２００３は、プロセッサ２００３１とメモリ２００３２を含む。
【０２２２】
ベースバンド装置２００３は、少なくとも１つのベースバンドボードを含む。当該ベースバンドボードには、複数のチップが設けられている。図１１に示すように、そのうちの１つのチップは、たとえばメモリ２００３２に接続されるプロセッサ２００３１であり、メモリ２００３２のプログラムを呼び出すことによって、以上の方法実施例に示される基地局の操作を実行する。
【０２２３】
当該ベースバンド装置２００３は、ラジオ周波数装置２００２との情報のやり取りに用いられるネットワークインタフェース２００３３をさらに含む。当該インタフェースは、たとえばＣＰＲＩ（ｃｏｍｍｏｎ  ｐｕｂｌｉｃ  ｒａｄｉｏ  ｉｎｔｅｒｆａｃｅ）である。
【０２２４】
ここのプロセッサは、１つのプロセッサであってもよく、複数の処理素子の総称であってもよい。たとえば、当該プロセッサは、ＣＰＵであってもよく、ＡＳＩＣであってもよく、または、たとえば１つまたは複数のＤＳＰや１つまたは複数のＦＰＧＡなど、以上の基地局によって実行される方法を実施する１つまたは複数の集積回路として構成される。保存素子は、１つのメモリであってもよく、複数の保存素子の総称であってもよい。
【０２２５】
メモリ２００３２は、揮発性メモリまたは非揮発性メモリであり、または、揮発性メモリと非揮発性メモリの両方を含む。非揮発性メモリは、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ  ＥＰＲＯＭ）またはフラッシュメモリである。揮発性メモリは、ＲＡＭ（Ｒａｎｄｏｍ  Ａｃｃｅｓｓ  Ｍｅｍｏｒｙ）であり、外部のキャッシュに用いられる。多くの形態のＲＡＭが使用可能であるが、その例として、例えばＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲＳＤＲＡＭ（Ｄｏｕｂｌｅ  Ｄａｔａ  Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈｌｉｎｋ  ＤＲＡＭ）、ＤＲＲＡＭ（Ｄｉｒｅｃｔ  Ｒａｍｂｕｓ  ＲＡＭ）が挙げられるが、それらに限られない。本開示に記載のメモリ２００３２は、これらに限られず、これらおよびこれら以外の任意の適合する種類のメモリを含むとする。
【０２２６】
具体的に、プロセッサ２００３１は、メモリ２００３２からプログラムを呼び出すことによって、上記実施例における第１基地局または第２基地局によって実行される方法を実行する。
【０２２７】
本開示の実施例は、データ伝送プログラムが記憶されているコンピュータ読み取り可能な記憶媒体をさらに提供する。前記データ伝送プログラムがプロセッサによって実行されると、以上記載したアクセス制御方法のステップを実現する。
【０２２８】
本実施例における端末は、上記の方法実施例を実行可能であり、その実現原理と技術効果が類似する。よって、本実施例において、ここでは繰り返して記載しない。
【０２２９】
なお、明細書の全文にわたって言及されている「１つの実施例」や「一実施例」とは、実施例に関連する特定の特徴、構造または特性が本開示の少なくとも１つの実施例に含まれることを意味する。従って、明細書の各箇所に記載されている「１つの実施例において」や「一実施例において」とは、必ずしも同一の実施例を指すとは限らない。また、これらの特定の特徴、構造または特性は、任意かつ適切な方式で１つまたは複数の実施例に組み入れられることができる。
【０２３０】
本開示の各実施例において、上記各プロセスの番号の大きさは、実行順の前後を意味するのではない。各プロセスの実行順は、その機能および内在的な論理によって確定されるものであり、本開示の実施例の実施プロセスに対しいっさい限定を構成しないと理解すべきである。
【０２３１】
また、本文において、「システム」と「ネットワーク」は、常に互換して使用することができる。
【０２３２】
本文において、「および／または」との用語は、関連対象の関連関係を表現するものに過ぎず、存在可能な３種類の関係を示す。例えば、Ａおよび／またはＢの場合、Ａのみ、ＡとＢの両方、Ｂのみの３種類の場合を示す。また、本文において、「／」の記号は、通常、前後の関連対象が「または」の関係であることを示す。
【０２３３】
本願に提供される実施例において、「Ａに対応するＢ」とは、ＢとＡが関連付けられることを示し、Ａに基づいてＢを確定することができる。なお、Ａに基づいてＢを確定することは、Ａのみに基づいてＢを確定するという意味ではなく、Ａおよび／または他の情報に基づいてＢを確定するのもよい。
【０２３４】
本願で提供されるいくつかの実施例において、開示された方法および装置は、他の方式で実施され得ることを理解されたい。以上記載した装置実施例は、単に例示的なものである。例えば、記載したユニットの区分は、単に論理機能の区分であり、実際に実現する際に別の区分方式がある。例えば、複数のユニットまたはコンポーネントは、組み合わせてもよく、別のシステムに一体化されてもよく、または、一部の特徴は、無視されてもよく、または実行されなくてもよい。また、示されておりまたは議論されている各構成部分の相互間の結合や直接結合や通信接続は、インタフェース、装置またはユニットを介した間接結合や通信接続であってもよく、電気的、機械的、または他の形式であってもよい。
【０２３５】
また、本開示の各実施例における各機能的ユニットは、全て１つの処理ユニットに一体化されていてもよいし、別々に１つのユニットとしてもよいし、２つ以上のユニットが１つのユニットに一体化されてもよい。上述した一体化ユニットは、ハードウェアの形態、またはハードウェアとソフトウェア機能ユニットの形態で実施することができる。
【０２３６】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例に記載の送受信方法のステップの一部をコンピュータ装置（パーソナルコンピュータ、サーバ、又はネットワーク装置であってもよい）に実行させるいくつかの指令を含む。前記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０２３７】
以上記載されたのは、本開示の選択可能な実施形態である。当業者は、本開示に記載されている原理を逸脱せずに様々な改良や修飾をすることもできる。これらの改良や修飾も、本開示の保護範囲内に含まれる。
【図１】
0006957654.tif 000002
【図２】
0006957654.tif 000003
【図３】
0006957654.tif 000004
【図４】
0006957654.tif 000005
【図５】
0006957654.tif 000006
【図６】
0006957654.tif 000007
【図７】
0006957654.tif 000008
【図８】
0006957654.tif 000009
【図９】
0006957654.tif 000010
【図１０】
0006957654.tif 000011
【図１１】
0006957654.tif 000012
【図１２】
0006957654.tif 000013
【図１３】
0006957654.tif 000014
【図１４】
0006957654.tif 000015
【図１５】
0006957654.tif 000016
【図１６】
0006957654.tif 000017
【図１７】
0006957654.tif 000018
【図１８】
0006957654.tif 000019
【図１９】
0006957654.tif 000020
【図２０】
0006957654.tif 000021
【図２１】
0006957654.tif 000022
【図２２】
0006957654.tif 000023